(57)【要約】【課題】ユーザデータ領域のデータ記録密度の差異に関わらず同一のデータ読み取りアルゴリズムに従ったディスク情報読み取りを可能とする。【解決手段】ディスク情報記録領域のデータ記録密度をユーザデータ領域の記録密度に関わらず一律の低記録密度に設定とする。ディスク情報記録領域にはディスク検査処理に必要となる情報が記録される。ユーザデータ記録領域には、高記録密度（３３Ｇｂｙｔｅ／Ｌａｙｅｒ）または低記録密度（２５Ｇ／Ｌ）のデータが記録されるが、ディスク情報記録領域には低記録密度（２５Ｇ／Ｌ）のディスク情報を記録する。低記録密度（２５Ｇ／Ｌ）の記録データのみ読み取り可能なディスク検査装置でも、３３Ｇ／Ｌのユーザデータ記録ディスクのディスク検査が実行できる。【選択図】図７
2015076114.tif 000002
【特許請求の範囲】
【請求項１】
ディスクに記録されたディスク情報を読み取り、ディスク情報に基づくディスク検査を実行するデータ処理部を有し、
前記データ処理部は、
前記ディスクのユーザデータ領域に記録されたデータの記録密度に依存することなく一律のデータ記録密度対応のデータ読み取りアルゴリズムに従って前記ディスク情報を読み取るディスク検査装置。
【請求項２】
前記ディスクは、ユーザデータ記録領域の記録密度が低記録密度のタイプ１型ディスクと、ユーザデータ記録領域の記録密度が高記録密度のタイプ２型ディスクのいずれかであり、前記タイプ１型ディスクと前記タイプ２型ディスクのいずれもディスク情報記録領域には低記録密度のディスク情報が記録された構成であり、
前記データ処理部は、前記タイプ１型ディスクと前記タイプ２型ディスクのいずれに対しても、一律の低記録密度対応のデータ読み取りアルゴリズムに従って前記ディスク情報を読み取る請求項1に記載のディスク検査装置。
【請求項３】
前記タイプ１型ディスクは、ユーザデータ記録領域の記録密度が約２５Ｇｂｙｔｅ／Ｌａｙｅｒであり、
前記タイプ２型ディスクは、ユーザデータ記録領域の記録密度が約３３Ｇｂｙｔｅ／Ｌａｙｅｒである請求項２に記載のディスク検査装置。
【請求項４】
ユーザデータ記録領域と、ディスク情報記録領域を有するディスク型の情報記録媒体であり、
前記ディスク情報記録領域には、前記ユーザデータ記録領域の記録密度より低い記録密度のディスク情報が記録された構成を有する情報記録媒体。
【請求項５】
前記ユーザデータ記録領域の記録密度は、約３３Ｇｂｙｔｅ／Ｌａｙｅｒであり、
前記ディスク情報記録領域には、約２５Ｇｂｙｔｅ／Ｌａｙｅｒの記録密度のディスク情報を記録した構成を有する請求項４に記載の情報記録媒体。
【請求項６】
前記ユーザデータ記録領域の記録密度は、約３３Ｇｂｙｔｅ／Ｌａｙｅｒであり、
前記ディスク情報記録領域には、約２５Ｇｂｙｔｅ／Ｌａｙｅｒの記録密度のディスク情報と、約３３Ｇｂｙｔｅ／Ｌａｙｅｒの記録密度のディスク情報とを混在して記録した構成を有する請求項４に記載の情報記録媒体。
【請求項７】
前記ディスク情報記録領域には、ユーザデータ記録領域の記録密度情報が記録され、
ディスク再生装置において、ユーザデータ記録領域の記録密度に従った再生制御を可能とした請求項４に記載の情報記録媒体。
【請求項８】
ディスク製造処理を実行する情報記録媒体製造装置であり、
ユーザデータ記録領域と、ディスク情報記録領域を設定したディスクの製造処理において、
前記ディスク情報記録領域に、前記ユーザデータ記録領域の記録密度より低い記録密度のディスク情報を記録したディスクを製造する情報記録媒体製造装置。
【請求項９】
前記ユーザデータ記録領域の記録密度は、約３３Ｇｂｙｔｅ／Ｌａｙｅｒであり、
前記ディスク情報記録領域には、約２５Ｇｂｙｔｅ／Ｌａｙｅｒの記録密度のディスク情報を記録したディスクを製造する請求項８に記載の情報記録媒体製造装置。
【請求項１０】
前記ユーザデータ記録領域の記録密度は、約３３Ｇｂｙｔｅ／Ｌａｙｅｒであり、
前記ディスク情報記録領域には、約２５Ｇｂｙｔｅ／Ｌａｙｅｒの記録密度のディスク情報と、約３３Ｇｂｙｔｅ／Ｌａｙｅｒの記録密度のディスク情報とを混在して記録したディスクを製造する請求項８に記載の情報記録媒体製造装置。
【請求項１１】
前記情報記録媒体製造装置は、
前記ディスク情報記録領域に、ユーザデータ記録領域の記録密度情報を記録し、
ディスク再生装置において、ユーザデータ記録領域の記録密度に従った再生制御を可能としたたディスクを製造する請求項８に記載の情報記録媒体製造装置。
【請求項１２】
ディスクからのデータ再生を実行するデータ処理部を有し、
前記データ処理部は、
再生対象コンテンツの記録領域であるユーザデータ記録領域の記録密度より低い低記録密度で記録されたディスク情報を読み取り、
前記ディスク情報からユーザデータ記録密度情報を取得して、取得したユーザデータ記録密度情報に従った再生制御を実行する再生装置。
【請求項１３】
前記データ処理部は、
前記ユーザデータ記録密度情報に従って前記ユーザデータ記録領域が低記録密度であることを確認した場合は、前記ユーザデータ記録領域の記録データの再生処理を実行し、
前記ユーザデータ記録密度情報に従って前記ユーザデータ記録領域が高記録密度であることを確認した場合は、さらに自装置が高記録密度データを再生可であるか再生不可であるかを判定し、判定結果に応じて前記ユーザデータ記録領域の記録データの再生実行または再生中止のいずれかの処理を行なう請求項１２に記載の再生装置。
【請求項１４】
前記データ処理部は、
前記ユーザデータ記録密度情報に従って、前記ユーザデータ記録領域が高記録密度であることを確認した場合において、
自装置が高記録密度データを再生可であると判定した場合は、前記ユーザデータ記録領域の高記録密度データの再生を実行し、
自装置が高記録密度データを再生不可であると判定した場合は、前記ユーザデータ記録領域の高記録密度データの再生を中止し、再生不可であることを示すメッセージを出力する請求項１３に記載の再生装置。
【請求項１５】
ディスク検査装置において実行する情報処理方法であり、
データ処理部が、ディスクに記録されたディスク情報を読み取り、ディスク情報に基づくディスク検査を実行するデータ処理ステップを実行し、
前記データ処理ステップにおいて、
前記ディスクのユーザデータ領域に記録されたデータの記録密度に依存することなく一律のデータ記録密度対応のデータ読み取りアルゴリズムに従って前記ディスク情報を読み取るステップを実行する情報処理方法。
【請求項１６】
ディスクからのデータ再生を実行する再生装置において実行する情報処理方法であり、
データ処理部が、再生対象コンテンツの記録領域であるユーザデータ記録領域の記録密度より低い低記録密度で記録されたディスク情報を読み取り、
前記ディスク情報からユーザデータ記録密度情報を取得して、取得したユーザデータ記録密度情報に従った再生制御を実行する情報処理方法。
【請求項１７】
ディスク検査装置において情報処理を実行させるプログラムであり、
データ処理部に、ディスクに記録されたディスク情報を読み取り、ディスク情報に基づくディスク検査を実行するデータ処理ステップを実行させ、
前記データ処理ステップにおいて、
前記ディスクのユーザデータ領域に記録されたデータの記録密度に依存することなく一律のデータ記録密度対応のデータ読み取りアルゴリズムに従って前記ディスク情報を読み取るステップを実行させるプログラム。
【請求項１８】
ディスクからのデータ再生を実行する再生装置において情報処理を実行させるプログラムであり、
データ処理部に、再生対象コンテンツの記録領域であるユーザデータ記録領域の記録密度より低い低記録密度で記録されたディスク情報を読み取るステップと、
前記ディスク情報からユーザデータ記録密度情報を取得して、取得したユーザデータ記録密度情報に従った再生制御を実行するステップを実行させるプログラム。
【発明の詳細な説明】
【技術分野】
【０００１】
本開示は、情報処理装置、情報記録媒体、および情報処理方法、並びにプログラムに関する。特に、様々な記録密度のディスクの利用を行う情報処理装置、情報記録媒体、および情報処理方法、並びにプログラムに関する。
【背景技術】
【０００２】
近年、データ記録媒体として光ディスクが多く利用されている。特に高密度記録可能な光ディスクとしてブルーレイディスク（ＢＤ：Ｂｌｕ−ｒａｙ（登録商標）  Ｄｉｓｃ）が広く利用されている。
特に、昨今、高画質の４Ｋ画像データを表示可能なディスプレイが利用されるようになり、ブルーレイディスク（ＢＤ）も、さらなる高密度化が求められている。
【０００３】
ブルーレイディスク（ＢＤ）には、低密度型のＢＤと、高密度型のＢＤ、さらに記録層を１のみとした１層型ディスク、２〜４層とした多層型ディスク等があり、様々な異なるタイプのＢＤが混在した状態にある。
また、将来的にも、さらに高密度化したＢＤが利用され、さらに多くのタイプのＢＤが混在化する可能性がある。
【０００４】
このような状況において、ＢＤに対するデータ記録や再生を行なう記録再生装置にも様々なタイプが混在する。例えば、低記録密度型のＢＤのみを利用可能な装置や、低記録密度、高記録密度の両タイプのＢＤを利用可能な記録再生装置などがある。
しかし、一方では、例えば高記録密度型のディスクの利用を新型の記録再生装置のみに許容するといった利用制限を行いたいという要望もある。このようなディスク利用制限を実現する処理を開示した従来技術として、例えば、特許文献１（特許４８９３７７７号公報）がある。
特許文献１は、高記録密度型のディスクには、ディスクからのデータ読み出し等に利用するアドレス情報を変形して記録することで、特定の新型の記録再生装置においてのみ利用可能とした構成を提案している。
【０００５】
また、ＢＤの製造時には、各ディスクの検査が必要となるが、このディスク検査装置も、各タイプのＢＤに対応したデータ読み取り処理を行なうことが必要となる。
例えば低記録密度型のディスクの場合は、低記録密度データの読み取りアルゴリズムに従ったデータ読み取り処理を行なうことが必要であり、高記録密度型のディスクの場合は、高記録密度データの読み取りアルゴリズムに従ったデータ読み取り処理を行なうことが必要となる。
【先行技術文献】
【特許文献】
【０００６】
【特許文献１】特許４８９３７７７号公報
【発明の概要】
【発明が解決しようとする課題】
【０００７】
上述したように様々なタイプのディスクが混在する状況化では、記録再生装置やディスク検査装置にそれぞれのディスクに対応した処理を実行するためのハードウェアやプログラムを個別に搭載する必要があり、装置コストが大きくなってしまうという問題がある。
【０００８】
本開示は、例えば上記問題点に鑑みてなされたものであり、共通の処理シーケンスで様々な記録密度のディスクに対する処理を可能とする情報処理装置、情報記録媒体、および情報処理方法、並びにプログラムを提供することを目的とする。
【課題を解決するための手段】
【０００９】
本開示の第１の側面は、
ディスクに記録されたディスク情報を読み取り、ディスク情報に基づくディスク検査を実行するデータ処理部を有し、
前記データ処理部は、
前記ディスクのユーザデータ領域に記録されたデータの記録密度に依存することなく一律のデータ記録密度対応のデータ読み取りアルゴリズムに従って前記ディスク情報を読み取るディスク検査装置にある。
【００１０】
さらに、本開示のディスク検査装置の一実施態様において、前記ディスクは、ユーザデータ記録領域の記録密度が低記録密度のタイプ１型ディスクと、ユーザデータ記録領域の記録密度が高記録密度のタイプ２型ディスクのいずれかであり、前記タイプ１型ディスクと前記タイプ２型ディスクのいずれもディスク情報記録領域には低記録密度のディスク情報が記録された構成であり、前記データ処理部は、前記タイプ１型ディスクと前記タイプ２型ディスクのいずれに対しても、一律の低記録密度対応のデータ読み取りアルゴリズムに従って前記ディスク情報を読み取る。
【００１１】
さらに、本開示のディスク検査装置の一実施態様において、前記タイプ１型ディスクは、ユーザデータ記録領域の記録密度が約２５Ｇｂｙｔｅ／Ｌａｙｅｒであり、
前記タイプ２型ディスクは、ユーザデータ記録領域の記録密度が約３３Ｇｂｙｔｅ／Ｌａｙｅｒである。
【００１２】
さらに、本開示の第２の側面は、
ユーザデータ記録領域と、ディスク情報記録領域を有するディスク型の情報記録媒体であり、
前記ディスク情報記録領域には、前記ユーザデータ記録領域の記録密度より低い記録密度のディスク情報が記録された構成を有する情報記録媒体にある。
【００１３】
さらに、本開示の情報記録媒体の一実施態様において、前記ユーザデータ記録領域の記録密度は、約３３Ｇｂｙｔｅ／Ｌａｙｅｒであり、前記ディスク情報記録領域には、約２５Ｇｂｙｔｅ／Ｌａｙｅｒの記録密度のディスク情報を記録した構成を有する。
【００１４】
さらに、本開示の情報記録媒体の一実施態様において、前記ユーザデータ記録領域の記録密度は、約３３Ｇｂｙｔｅ／Ｌａｙｅｒであり、前記ディスク情報記録領域には、約２５Ｇｂｙｔｅ／Ｌａｙｅｒの記録密度のディスク情報と、約３３Ｇｂｙｔｅ／Ｌａｙｅｒの記録密度のディスク情報とを混在して記録した構成を有する。
【００１５】
さらに、本開示の情報記録媒体の一実施態様において、前記ディスク情報記録領域には、ユーザデータ記録領域の記録密度情報が記録され、ディスク再生装置において、ユーザデータ記録領域の記録密度に従った再生制御を可能とした。
【００１６】
さらに、本開示の第３の側面は、
ディスク製造処理を実行する情報記録媒体製造装置であり、
ユーザデータ記録領域と、ディスク情報記録領域を設定したディスクの製造処理において、
前記ディスク情報記録領域に、前記ユーザデータ記録領域の記録密度より低い記録密度のディスク情報を記録したディスクを製造する情報記録媒体製造装置にある。
【００１７】
さらに、本開示の情報記録媒体製造装置の一実施態様において、前記ユーザデータ記録領域の記録密度は、約３３Ｇｂｙｔｅ／Ｌａｙｅｒであり、前記ディスク情報記録領域には、約２５Ｇｂｙｔｅ／Ｌａｙｅｒの記録密度のディスク情報を記録したディスクを製造する。
【００１８】
さらに、本開示の情報記録媒体製造装置の一実施態様において、前記ユーザデータ記録領域の記録密度は、約３３Ｇｂｙｔｅ／Ｌａｙｅｒであり、前記ディスク情報記録領域には、約２５Ｇｂｙｔｅ／Ｌａｙｅｒの記録密度のディスク情報と、約３３Ｇｂｙｔｅ／Ｌａｙｅｒの記録密度のディスク情報とを混在して記録したディスクを製造する。
【００１９】
さらに、本開示の情報記録媒体製造装置の一実施態様において、前記情報記録媒体製造装置は、前記ディスク情報記録領域に、ユーザデータ記録領域の記録密度情報を記録し、ディスク再生装置において、ユーザデータ記録領域の記録密度に従った再生制御を可能としたたディスクを製造する。
【００２０】
さらに、本開示の第４の側面は、
ディスクからのデータ再生を実行するデータ処理部を有し、
前記データ処理部は、
再生対象コンテンツの記録領域であるユーザデータ記録領域の記録密度より低い低記録密度で記録されたディスク情報を読み取り、
前記ディスク情報からユーザデータ記録密度情報を取得して、取得したユーザデータ記録密度情報に従った再生制御を実行する再生装置にある。
【００２１】
さらに、本開示の再生装置の一実施態様において、前記データ処理部は、前記ユーザデータ記録密度情報に従って前記ユーザデータ記録領域が低記録密度であることを確認した場合は、前記ユーザデータ記録領域の記録データの再生処理を実行し、前記ユーザデータ記録密度情報に従って前記ユーザデータ記録領域が高記録密度であることを確認した場合は、さらに自装置が高記録密度データを再生可であるか再生不可であるかを判定し、判定結果に応じて前記ユーザデータ記録領域の記録データの再生実行または再生中止のいずれかの処理を行なう。
【００２２】
さらに、本開示の再生装置の一実施態様において、前記データ処理部は、前記ユーザデータ記録密度情報に従って、前記ユーザデータ記録領域が高記録密度であることを確認した場合において、自装置が高記録密度データを再生可であると判定した場合は、前記ユーザデータ記録領域の高記録密度データの再生を実行し、自装置が高記録密度データを再生不可であると判定した場合は、前記ユーザデータ記録領域の高記録密度データの再生を中止し、再生不可であることを示すメッセージを出力する。
【００２３】
さらに、本開示の第５の側面は、
ディスク検査装置において実行する情報処理方法であり、
データ処理部が、ディスクに記録されたディスク情報を読み取り、ディスク情報に基づくディスク検査を実行するデータ処理ステップを実行し、
前記データ処理ステップにおいて、
前記ディスクのユーザデータ領域に記録されたデータの記録密度に依存することなく一律のデータ記録密度対応のデータ読み取りアルゴリズムに従って前記ディスク情報を読み取るステップを実行する情報処理方法にある。
【００２４】
さらに、本開示の第６の側面は、
ディスクからのデータ再生を実行する再生装置において実行する情報処理方法であり、
データ処理部が、再生対象コンテンツの記録領域であるユーザデータ記録領域の記録密度より低い低記録密度で記録されたディスク情報を読み取り、
前記ディスク情報からユーザデータ記録密度情報を取得して、取得したユーザデータ記録密度情報に従った再生制御を実行する情報処理方法にある。
【００２５】
さらに、本開示の第７の側面は、
ディスク検査装置において情報処理を実行させるプログラムであり、
データ処理部に、ディスクに記録されたディスク情報を読み取り、ディスク情報に基づくディスク検査を実行するデータ処理ステップを実行させ、
前記データ処理ステップにおいて、
前記ディスクのユーザデータ領域に記録されたデータの記録密度に依存することなく一律のデータ記録密度対応のデータ読み取りアルゴリズムに従って前記ディスク情報を読み取るステップを実行させるプログラムにある。
【００２６】
さらに、本開示の第８の側面は、
ディスクからのデータ再生を実行する再生装置において情報処理を実行させるプログラムであり、
データ処理部に、再生対象コンテンツの記録領域であるユーザデータ記録領域の記録密度より低い低記録密度で記録されたディスク情報を読み取るステップと、
前記ディスク情報からユーザデータ記録密度情報を取得して、取得したユーザデータ記録密度情報に従った再生制御を実行するステップを実行させるプログラムにある。
【００２７】
なお、本開示のプログラムは、例えば、様々なプログラム・コードを実行可能な画像処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。
【００２８】
本開示のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２９】
本開示の一実施例の構成によれば、ユーザデータ領域のデータ記録密度の差異に関わらず同一のデータ読み取りアルゴリズムに従ったディスク情報読み取りを可能とする。
具体的には、例えば、ディスク情報記録領域のデータ記録密度をユーザデータ領域の記録密度に関わらず一律の低記録密度に設定とする。ディスク情報記録領域にはディスク検査処理に必要となる情報が記録される。ユーザデータ記録領域には、高記録密度（３３Ｇｂｙｔｅ／Ｌａｙｅｒ）または低記録密度（２５Ｇ／Ｌ）のデータが記録されるが、ディスク情報記録領域には低記録密度（２５Ｇ／Ｌ）のディスク情報を記録する。低記録密度（２５Ｇ／Ｌ）の記録データのみ読み取り可能なディスク検査装置でも、３３Ｇ／Ｌのユーザデータ記録ディスクのディスク検査が実行できる。
このように、ユーザデータ領域のデータ記録密度の差異に関わらず同一のデータ読み取りアルゴリズムに従ったディスク情報読み取りが可能となり、例えばディスク検査装置の汎用性が高まる。
なお、本明細書に記載された効果はあくまで例示であって限定されるものではなく、また付加的な効果があってもよい。
【図面の簡単な説明】
【００３０】
【図１】ディスクの構成例について説明する図である。
【図２】現行のＢＤの様々なタイプのディスク態様やデータ記録容量等の仕様について説明する図である。
【図３】ディスク情報記録領域のＰＩＣ（Ｐｅｒｍａｎｅｎｔ  Ｉｎｆｏｒｍａｔｉｏｎ  ＆  Ｃｏｎｔｒｏｌｅ  Ｄａｔａ）領域に記録されるデータ例について説明する図である。
【図４】低記録密度型ディスクのデータ記録態様について説明する図である。
【図５】高記録密度型ディスクのデータ記録態様について説明する図である。
【図６】ディスク検査装置を適用したディスク検査処理の処理シーケンスについて説明するフローチャートを示す図である。
【図７】本開示の一実施例に係るディスクのデータ記録態様やデータ記録容量等の仕様について説明する図である。
【図８】本開示の一実施例に係るディスクのデータ記録態様について説明する図である。
【図９】本開示のディスクを利用した場合におけるディスク検査装置によるディスク検査処理の処理シーケンスについて説明するフローチャートを示す図である。
【図１０】本開示の一実施例に係るディスクのデータ記録態様やデータ記録容量等の仕様について説明する図である。
【図１１】本開示の一実施例に係るディスクのデータ記録態様について説明する図である。
【図１２】ディスク情報記録領域のＰＩＣ（Ｐｅｒｍａｎｅｎｔ  Ｉｎｆｏｒｍａｔｉｏｎ  ＆  Ｃｏｎｔｒｏｌｅ  Ｄａｔａ）領域に記録されるデータ例について説明する図である。
【図１３】本開示のディスクを利用した場合の再生装置による再生処理シーケンスについて説明するフローチャートを示す図である。
【図１４】データ記録再生を実行する情報処理装置の一構成例を示す図である。
【図１５】マスタリング装置の構成例について説明する図である。
【図１６】データ記録再生を実行する情報処理装置の一構成例について説明する図である。
【発明を実施するための形態】
【００３１】
以下、図面を参照しながら本開示の情報処理装置、情報記録媒体、および情報処理方法、並びにプログラムの詳細について説明する。なお、説明は以下の項目に従って行う。
１．ディスクの構成例について
２．ディスク情報の記録密度のバリエーションによる問題点について
３．ディスク情報記録領域のデータ記録密度を低記録密度に設定した構成について
４．ディスク情報記録領域のデータ記録密度を低記録密度と高記録密度を混在した設定とした構成について
５．ディスク情報を適用した再生装置における処理例について
６．記録再生処理を実行する装置のハードウェア構成例について
７．マスタリング装置の構成例について
８．データ記録再生装置、およびディスク検査装置の構成例について
９．本開示の構成のまとめ
【００３２】
［１．ディスクの構成例について］
まず、図１以下を参照してブルーレイディスク（ＢＤ：Ｂｌｕ−ｒａｙ（登録商標）  Ｄｉｓｃ）の構成例について説明する。
先に説明したように、ブルーレイディスク（ＢＤ）には、低記録密度型のＢＤと、高記録密度型のＢＤ、さらに記録層を１のみとした１層型ディスク、２〜４層とした多層型ディスク等があり、様々な異なるタイプのＢＤが混在した状態にある。
【００３３】
図１にブルーレイディスク（ＢＤ）１０の一般的な構成例を示す。
ＢＤ１０は、ディスク情報記録領域１１と、ユーザデータ記録領域１２を有する。
ディスク情報記録領域１１には、例えばディスクの種類、ディスクサイズ情報、層（レイヤ）構成情報等の様々なディスク情報が記録される。
ユーザデータ記録領域１２は、例えば映画などの再生対象となるコンテンツが記録される。
【００３４】
なお、ＢＤ１０には、ユーザデータ記録領域１２に再生対象コンテンツが予め記録されたＲＯＭ型ディスクの他、ユーザデータ記録領域１２に、ユーザが任意のデータを記録可能としたＲ型、あるいはＲＥ型ディスクなどがある。
【００３５】
図１の下段には、ＢＤ１０の断面図構成例を示している。
図１（ａ）〜（ｄ）に示すように、ＢＤ１０には、記録層を１層のみとした（ａ）１層型（ＳＬ：Ｓｉｎｇｌｅ  Ｌａｙｅｒ）の他、複数の記録層を持つ多層型のディスクがある。すなわち、例えば図１に示す以下の各タイプのディスクがある。
（ａ）１層型（ＳＬ：Ｓｉｎｇｌｅ  Ｌａｙｅｒ）
（ｂ）２層型（ＤＬ：Ｄｏｕｂｌｅ  Ｌａｙｅｒ）
（ｃ）３層型（ＴＬ：Ｔｒｉｐｌｅ  Ｌａｙｅｒ）
（ｄ）４層型（ＱＬ：Ｑｕａｔｅｒ  Ｌａｙｅｒ）
【００３６】
また、データ記録容量や記録方式についても様々担設定がある。
図２は、現行のＢＤの様々なタイプのディスク態様やデータ記録容量等の仕様をまとめた図である。
図２に示すように、現行のＢＤは、以下の２つのタイプに分けれらる。
（１ａ）タイプ１ａ（低記録密度型）：ＢＤ−ＲＯＭ
（１ｂ）タイプ１ｂ（低記録密度型）：ＢＤ−Ｒ，ＲＥ
（２）タイプ２（高記録密度型）：ＢＤ−ＸＬ（ＴＬ／ＱＬ）−Ｒ，ＲＥ
【００３７】
タイプ１ａのディスク態様は、ＢＤのＲＯＭ型、タイプ１ｂはＲ，ＲＥ型のディスクである。
タイプ２のディスク態様は、ＢＤのＲ，ＲＥ型のディスクである。
【００３８】
タイプ１ａ，１ｂのディスクは、記録容量が約５０Ｇｂｙｔｅ（ギガバイト）以下であり、１層あたりの記録密度（Ｇｂｙｔｅ／Ｌａｙｅｒ（＝Ｇｂｙｔｅ／Ｌａｙｅｒ））は、約２５Ｇｂｙｔｅ／Ｌａｙｅｒに設定された低記録密度型のディスクである。
一方、タイプ２のディスクは、記録容量が約１００Ｇ以上の大容量型のディスクであり、１層あたりの記録密度（Ｇｂｙｔｅ／Ｌａｙｅｒ）は、約３３Ｇｂｙｔｅ／Ｌａｙｅｒに設定された高記録密度型のディスクである。
【００３９】
また、これらのタイプ１とタイプ２のディスクでは、ディスク情報記録領域の記録方式が異なっている。
タイプ１ａ、すなわちＲＯＭ型の読み取り専用ディスクでは、エンボスピット（Ｅｍｂｏｓｓｅｄ  Ｐｉｔ）によりディスク情報が記録される。
これに対して、タイプ１ｂとタイプ２に示すＲ，ＲＥ型の書き込み可能ディスクでは、ウォブルグルーブ（Ｗｏｂｂｌｅ  Ｇｒｏｏｖｅ）を適用してディスク情報が記録されている。
【００４０】
なお、ディスク情報は、図１に示すディスク情報記録領域１１に記録されるディスクに関する情報を記録した領域である。
具体的には例えばＰＩＣ（Ｐｅｒｍａｎｅｎｔ  Ｉｎｆｏｒｍａｔｉｏｎ  ＆  Ｃｏｎｔｒｏｌｅ  Ｄａｔａ）領域と呼ばれる領域が含まれる。
ＰＩＣ領域に記録されるデータは、ディスクに関する情報である。その一例を図３に示す。
【００４１】
図３に示すように、ディスク情報記録領域であるＰＩＣ領域には、例えば、以下の情報が記録される。
（１）ディスク情報ＩＤ（Ｄｉｓｃ  Ｉｎｆｏｒｍａｔｉｏｎ  ｉｄｅｎｔｉｆｉｅｒ）
（２）ディスクタイプ情報（Ｄｉｓｃ  ｔｙｐｅ  ｉｄｅｎｔｉｆｉｅｒ）
（３）ディスクサイズ情報（Ｄｉｓｃ  ｓｉｚｅ／ｃｌａｓｓ．ｖｅｒｓｉｏｎ）
（４）ディスク構成情報（Ｄｉｓｃ  ｓｔｒｕｃｔｕｒｅ）
（５）ユーザデータ記録領域情報（Ｄａｔａ  ｚｏｎｅ  ａｌｌｏｃａｔｉｏｎ）
【００４２】
これらの情報は、例えば再生装置において、ディスクのユーザデータ記録領域にコンテンツを再生する前に読み取られ、再生制御のために利用される。
あるいは、ディスク製造時に、ディスクの検査の実行時に事前に読み取られ、検査項目や検査アルゴリズム等を決定するために利用される。
【００４３】
一般的なこれまでのディスクにおいては、ディスク情報記録領域１１のデータ記録密度は、ユーザデータ記録領域１２のデータ記録密度に一致したものとなっている。
すなわち、図２に示す表において、
例えば、（１ａ），（１ｂ）の低記録密度型（２５Ｇｂｙｔｅ／Ｌａｙｅｒ）のディスクは、ユーザデータ記録領域１２のデータ記録密度が２５Ｇｂｙｔｅ／Ｌａｙｅｒである。このディスクは、ディスク情報記録領域１１も２５Ｇｂｙｔｅ／Ｌａｙｅｒの記録密度でディスク情報が記録される。
【００４４】
一方、図２に示す（２）の高記録密度型（３３Ｇｂｙｔｅ／Ｌａｙｅｒ）のディスクは、ユーザデータ記録領域１２のデータ記録密度が３３Ｇｂｙｔｅ／Ｌａｙｅｒである。このディスクは、ディスク情報記録領域１１も３３Ｇｂｙｔｅ／Ｌａｙｅｒの記録密度でディスク情報が記録される。
【００４５】
各ディスクのデータ記録態様について図４、図５を参照して説明する。
図４は、低記録密度型（２５Ｇｂｙｔｅ／Ｌａｙｅｒ）のディスクのデータ記録構成を示している。
図５は、高記録密度型（３３Ｇｂｙｔｅ／Ｌａｙｅｒ）のディスクのデータ記録構成を示している。
【００４６】
まず、図４を参照して、低記録密度型（２５Ｇｂｙｔｅ／Ｌａｙｅｒ）のディスクのデータ記録構成について説明する。
上部にディスクの全体構成を示している。
下部に、低記録密度型（２５Ｇｂｙｔｅ／Ｌａｙｅｒ）のディスク（ＢＤ）１０の半径方向のデータ記録構成を示している。ディスク半径方向に示す数値２２．５１〜５８．００は、ディスク内終端からの距離（ｍｍ）を示している。
【００４７】
ユーザデータ記録領域１１は、ディスクの内周端から２４．００ｍｍ〜５８．００ｍｍの区間に設定され、この区間にユーザデータ（再生対象コンテンツ）が２５Ｇｂｙｔｅ／Ｌａｙｅｒの記録密度で記録される。
ＰＩＣを構成要素とするディスク情報記録領域１１は、ディスクの内周端から２２．５１ｍｍ〜２４．００ｍｍの区間に設定される。ＰＩＣ領域は、その一部領域、すなわち、ディスクの内周端から２２．５１ｍｍ〜２３．２５ｍｍの区間に設定され、この区間に先に図３を参照して説明したディスク情報（ＰＩＣ情報）が２５Ｇｂｙｔｅ／Ｌａｙｅｒの記録密度で記録される。
【００４８】
このように、図２に示す（１ａ），（１ｂ）の低記録密度型（２５Ｇｂｙｔｅ／Ｌａｙｅｒ）のディスクは、ユーザデータ記録領域１２と、ディスク情報記録領域１１のいずれにも低記録密度のデータ、すなわち２５Ｇｂｙｔｅ／Ｌａｙｅｒの記録密度でデータ記録が行われる。
【００４９】
次に、図５を参照して、高記録密度型（３３Ｇｂｙｔｅ／Ｌａｙｅｒ）のディスクのデータ記録構成について説明する。
上部にディスクの全体構成を示している。
中段部に、高記録密度型（３３Ｇｂｙｔｅ／Ｌａｙｅｒ）のディスク（ＢＤ）１０の半径方向のデータ記録構成を示している。ディスク半径方向に示す数値２２．５１〜５８．００は、ディスク内終端からの距離（ｍｍ）を示している。
図５には、さらに、図４を参照して説明した低記録密度型（２５Ｇｂｙｔｅ／Ｌａｙｅｒ）のディスクのデータ記録構成を参考データとして最下段に示している。
【００５０】
ユーザデータ記録領域１１は、ディスクの内周端から２４．００ｍｍ〜５８．００ｍｍの区間に設定され、この区間にユーザデータ（再生対象コンテンツ）が２５Ｇｂｙｔｅ／Ｌａｙｅｒの記録密度で記録される。
これは、図４を参照して説明した低記録密度型（２５Ｇｂｙｔｅ／Ｌａｙｅｒ）のディスクのデータ記録構成と同様である。
ただし、記録密度が高くなるため、記録可能なデータ量は増加する。
図に示す半径方向の区間Ｒ＝５１．８８〜５８．００は、記録密度の差異によって新たに記録可能となるデータの記録領域を示している。
【００５１】
すなわち、低記録密度型（２５Ｇｂｙｔｅ／Ｌａｙｅｒ）のディスクのユーザデータ記録領域（Ｒ＝２４．００〜５８．００）に記録されるデータ（２５Ｇｂｙｔｅ）と同じ容量のデータは、高記録密度型（３３Ｇｂｙｔｅ／Ｌａｙｅｒ）のディスクのユーザデータ記録領域の一部（Ｒ＝２４．００〜５１．８８）に記録可能であり、残りのユーザデータ記録領域（Ｒ＝５１．８８〜５８．００）に新たな８Ｇｂｙｔｅのデータが記録可能となることを示している。
【００５２】
一方、ＰＩＣを構成要素とする現行のＢＤ−ＲＯＭと同じディスク情報を用いた場合には、図５（２）タイプ２−Ｘに示すようにディスク情報記録領域１１は、ディスクの内周端から２２．５４ｍｍ〜２４．００ｍｍの区間に設定可能となる。すなわち、参考情報（１）として示す低記録密度型（２５Ｇｂｙｔｅ／Ｌａｙｅｒ）のディスクのディスク情報記録領域（Ｒ＝２２．５１〜２４．００）より狭い領域にディスク情報が記録される事になる。
これはＰＩＣに記録するデータ量が２５Ｇｂｙｔｅ／Ｌａｙｅｒ密度の設定におけるデータ量と同一であり記録密度が高まるため、記録領域が減少するためである。
なお、図５（２'）タイプ２に示すのは、高記録密度型Ｒ／ＲＥディスクの構成例である。この高記録密度型Ｒ／ＲＥディスクの情報記録領域１１は、現行のＢＤ−ＲＯＭとは異なるディスク情報フォーマットを用いて、ディスクの内周端から２２．５１ｍｍ〜２４．００ｍｍの区間に設定可能となっている。すなわち、参考情報（１）として示す低記録密度型（２５Ｇｂｙｔｅ／Ｌａｙｅｒ）のディスクのディスク情報記録領域と同じ領域にディスク情報を記録した設定である。
【００５３】
［２．ディスク情報の記録密度のバリエーションによる問題点について］
上述したように、現在、様々な記録密度の様々なタイプのディスクが混在している状況にある。
このような状況において発生する問題点の１つとして、ディスク検査処理がある。
例えば、ディスク製造処理やディスク記録処理が行なわれた際、各ディスクにコンテンツが正常に記録され、再生不良等が発生しないか否かを検査する処理が行われる。
この検査処理において、ディスク検査装置が利用される。
【００５４】
ディスク検査装置は、検査対象となるディスクを装着し、まずディスク情報記録領域からディスク情報を読み取り、読み取ったディスク情報に従って検査項目や検査シーケンス等を決定して決定した検査を実行する。
しかし、検査装置が２５Ｇｂｙｔｅ／Ｌａｙｅｒのデータ記録密度のデータ読み取り処理のみを実行可能な装置である場合、ディスク情報記録領域が３３Ｇｂｙｔｅ／Ｌａｙｅｒの記録密度でディスク情報を記録している場合、ディスク情報の読み取りが実行できないことになる。
【００５５】
従来型のディスク検査装置は、２５Ｇｂｙｔｅ／Ｌａｙｅｒのデータ記録密度のデータ読み取りのみが可能な装置が多く、このような従来型の検査装置は、３３Ｇｂｙｔｅ／Ｌａｙｅｒの高記録密度で記録されたディスク情報が読み取れず、ディスク検査が実行できない。
【００５６】
すなわち、２５Ｇｂｙｔｅ／Ｌａｙｅｒの低記録密度のデータ読み取りのみが可能なディスク検査装置を適用したディスク検査は、図６に示すフローに従った処理として実行される。
まず、ステップＳ１０１において、記録密度＝２５Ｇｂｙｔｅ／Ｌａｙｅｒのデータ読み取りアルゴリズムに従って、ディスク情報の読み取り処理を実行する。
【００５７】
ステップＳ１０２において、ディスク情報読み取り処理の成功可否を判定する。
ディスク情報がデータ記録密度＝２５Ｇｂｙｔｅ／Ｌａｙｅｒで記録されている場合は、ディスク情報読み取りに成功する。この場合は、ステップＳ１０２の判定がＹｅｓとなり、ステップＳ１０３に進む。
しかし、ディスク情報がデータ記録密度＝３３Ｇｂｙｔｅ／Ｌａｙｅｒで記録されている場合は、ディスク情報読み取りに失敗する。この場合は、ステップＳ１０２の判定がＮｏとなり、ステップＳ１０４に進む。
【００５８】
ディスク情報がデータ記録密度＝２５Ｇｂｙｔｅ／Ｌａｙｅｒで記録され、ディスク情報読み取りに成功した場合にのみ、ステップＳ１０３に進み、正常なディスク検査処理が実行される。
しかし、ディスク情報がデータ記録密度＝３３Ｇｂｙｔｅ／Ｌａｙｅｒで記録され、ディスク情報読み取りに失敗すると、ステップＳ１０４に進み、正常なディスク検査処理が実行できなくなる。
【００５９】
このように、２５Ｇｂｙｔｅ／Ｌａｙｅｒの低記録密度のデータ読み取りのみが可能なディスク検査装置を適用してディスク検査を行うと、３３Ｇｂｙｔｅ／Ｌａｙｅｒの記録密度のデータ読み取りを実行することができず、ディスク検査が行えなくなる。
データ記録密度＝３３Ｇｂｙｔｅ／Ｌａｙｅｒのディスク情報の読み取りを可能とするためには、新たなプログラムやハードウェアを備えたディスク検査装置が必要となる。これはコスト高を発生させ好ましくない。
【００６０】
［３．ディスク情報記録領域のデータ記録密度を低記録密度に設定した構成について］
上記問題を解決する構成例について、以下説明する。
以下に説明する実施例は、ディスク情報記録領域のデータ記録密度を低記録密度に設定した構成である。
すなわち、ユーザデータ記録領域が低記録密度（２５Ｇｂｙｔｅ／Ｌａｙｅｒ）の設定、高記録密度（３３Ｇｂｙｔｅ／Ｌａｙｅｒ）の設定、いずれの設定の場合も、ディスク情報記録領域のデータ記録密度を低記録密度（２５Ｇｂｙｔｅ／Ｌａｙｅｒ）の設定とするものである。
【００６１】
本実施例に従ったディスク構成について図７以下を参照して説明する。
図７は、本実施例に係るディスク（ＢＤ：Ｂｌｕ−ｒａｙ（登録商標）  Ｄｉｓｃ）の仕様を説明する図である。
図７に示すように、本実施例のＢＤは、先に図２を参照して説明したタイプ１（低記録密度型）とタイプ２（高記録密度型）の双方を含む設定であり、再生専用のＢＤ−ＲＯＭである。
【００６２】
ディスク態様と記録容量、およびユーザデータ領域の記録密度の設定としては、図に示すように以下の各種類がある。
（ａ１）２層（ＤＬ：Ｄｏｕｂｌｅ  Ｌａｙｅｒ）構成で、記録容量＝約５０Ｇｂｙｔｅ以下、ユーザデータの記録密度＝２５Ｇｂｙｔｅ／Ｌａｙｅｒ（低記録密度）
（ａ２）２層（ＤＬ：Ｄｏｕｂｌｅ  Ｌａｙｅｒ）構成で、記録容量＝約６６Ｇｂｙｔｅ以下、ユーザデータの記録密度＝３３Ｇｂｙｔｅ／Ｌａｙｅｒ（高記録密度）
（ａ３）３層（ＴＬ：Ｔｒｉｐｌｅ  Ｌａｙｅｒ）構成で、記録容量＝約１００Ｇｂｙｔｅ以下、ユーザデータの記録密度＝３３Ｇｂｙｔｅ／Ｌａｙｅｒ（高記録密度）
【００６３】
これらの各種の構成を持つディスクにおいて、ディスク情報（ＰＩＣ）記録領域の記録方式と記録密度は統一する。すなわち、以下の設定とする。
ディスク情報記録領域（ＰＩＣ）の記録方式＝エンボスピット（Ｅｍｂｏｓｓｅｄ  ｐｉｔ）型、
ディスク情報記録領域（ＰＩＣ）の記録密度＝２５Ｇｂｙｔｅ／Ｌａｙｅｒ（低記録密度）、
上記のように統一した設定とする。
【００６４】
このディスクの具体的構成例について図８を参照して説明する。
図８には、先に図４、図５を参照して説明したと同様、ディスクの各データ記録領域と、各領域の記録密度の設定を説明する図である。
上段にディスクの全体構成を示している。
中段に、図７の（ａ２），（ａ３）に示すディスク、すなわちユーザデータ領域の記録密度を高記録密度（３３Ｇｂｙｔｅ／Ｌａｙｅｒ）としたディスク（ＢＤ）１０の半径方向の記録データ構成を示している。ディスク半径方向に示す数値２２．５１〜５８．００は、ディスク内終端からの距離（ｍｍ）を示している。
最下段に、図７の（ａ１）に示すディスク、すなわちユーザデータ領域の記録密度を低記録密度（２５Ｇｂｙｔｅ／Ｌａｙｅｒ）としたディスク（ＢＤ）１０の半径方向の記録データ構成を示している。
【００６５】
中段に示す（ａ２），（ａ３）の高記録密度（３３Ｇｂｙｔｅ／Ｌａｙｅｒ）ディスクにおいて、ユーザデータ記録領域１２は、ディスクの内周端から２４．００ｍｍ〜５８．００ｍｍの区間に設定され、この区間にユーザデータ（再生対象コンテンツ）が３３Ｇｂｙｔｅ／Ｌａｙｅｒの記録密度で記録される。
先に図５を参照して説明したユーザデータ記録領域の構成と同様、低記録密度型（２５Ｇｂｙｔｅ／Ｌａｙｅｒ）のディスクのユーザデータ記録領域（Ｒ＝２４．００〜５８．００）に記録されるデータ（２５Ｇｂｙｔｅ）と同じ容量のデータは、高記録密度型（３３Ｇｂｙｔｅ／Ｌａｙｅｒ）のディスクのユーザデータ記録領域の一部（Ｒ＝２４．００〜５１．８８）に記録可能であり、残りのユーザデータ記録領域（Ｒ＝５１．８８〜５８．００）に新たな８Ｇｂｙｔｅのデータが記録可能となる。
【００６６】
一方、ＰＩＣ領域を構成要素とするディスク情報記録領域１１は、ディスクの内周端から２２．５１ｍｍ〜２３．２５ｍｍの区間に設定され、この区間に、低記録密度（２５Ｇｂｙｔｅ／Ｌａｙｅｒ）でディスク情報（ＰＩＣ情報）を記録する。
すなわち、ユーザデータ記録領域は高記録密度（３３Ｇｂｙｔｅ／Ｌａｙｅｒ）で記録されるがディスク情報記録領域（ＰＩＣ）は、低記録密度（２５Ｇｂｙｔｅ／Ｌａｙｅｒ）で記録する。
【００６７】
また、下段に示す（ａ１）の低記録密度（２５Ｇｂｙｔｅ／Ｌａｙｅｒ）ディスクにおいて、ユーザデータ記録領域１２は、ディスクの内周端から２４．００ｍｍ〜５８．００ｍｍの区間に設定され、この区間にユーザデータ（再生対象コンテンツ）を２５Ｇｂｙｔｅ／Ｌａｙｅｒの記録密度で記録する。
ＰＩＣを構成要素とするディスク情報記録領域１１は、ディスクの内周端から２２．５１ｍｍ〜２３．２５ｍｍの区間に設定され、この区間に、低記録密度（２５Ｇｂｙｔｅ／Ｌａｙｅｒ）でディスク情報（ＰＩＣ情報）を記録する。
この記録形態は、先に図４を参照して説明したタイプ１の低記録密度型（２５Ｇｂｙｔｅ／Ｌａｙｅｒ）のディスク構成と同様の構成である。
【００６８】
このように、図７、図８を参照して説明したディスクは、ユーザデータ記録領域１２が、高密度記録（３３Ｇｂｙｔｅ／Ｌａｙｅｒ）、低記録密度（２５Ｇｂｙｔｅ／Ｌａｙｅｒ）いずれの場合においても、ＰＩＣを構成要素とするディスク情報記録領域１１は低記録密度（２５Ｇｂｙｔｅ／Ｌａｙｅｒ）で記録した構成を持つ。
このような設定とすることで、例えば先に図６に示すフローチャートを参照して説明したような不具合の発生を防止することができる。
【００６９】
本実施例に従ったディスクを適用したディスクの検査処理シーケンスについて、図９に示すフローチャートを参照して説明する。
前述したように、例えば、ディスク製造処理やディスク記録処理が行なわれた際、各ディスクにコンテンツが正常に記録され、再生不良等が発生しないか否かを検査する処理が行われる。
この検査処理において、ディスク検査装置が利用される。
【００７０】
ディスク検査装置は、検査対象となるディスクを装着し、まずディスク情報記録領域からディスク情報を読み取り、読み取ったディスク情報に従って検査項目や検査シーケンス等を決定して決定した検査を実行する。
しかし、検査装置が２５Ｇｂｙｔｅ／Ｌａｙｅｒのデータ記録密度のデータ読み取り処理のみを実行可能な装置である場合、ディスク情報記録領域が３３Ｇｂｙｔｅ／Ｌａｙｅｒの記録密度でディスク情報を記録している場合、ディスク情報の読み取りが実行できないことになる。
【００７１】
従来型のディスク検査装置は、２５Ｇｂｙｔｅ／Ｌａｙｅｒのデータ記録密度のデータ読み取りのみが可能な装置が多く、このような従来型の検査装置は、３３Ｇｂｙｔｅ／Ｌａｙｅｒの高記録密度で記録されたディスク情報が読み取れず、ディスク検査が実行できない。
しかし、図７、図８を参照して説明したディスクのように、ディスク情報記録領域のデータ記録密度を低記録密度（２５Ｇｂｙｔｅ／Ｌａｙｅｒ）に統一することで、ユーザデータ記録領域の記録密度の大小に関わらず、ディスク検査が可能となる。
【００７２】
２５Ｇｂｙｔｅ／Ｌａｙｅｒの低記録密度のデータ読み取りのみが可能なディスク検査装置を適用したディスク検査は、図９に示すフローに従った処理として実行される。
まず、ステップＳ２０１において、記録密度＝２５Ｇｂｙｔｅ／Ｌａｙｅｒのデータ読み取りアルゴリズムに従って、ディスク情報の読み取り処理を実行する。
【００７３】
図７、図８を参照して説明したディスクの場合、ユーザデータ記録領域が高密度記録（３３Ｇｂｙｔｅ／Ｌａｙｅｒ）であっても、低記録密度（２５Ｇｂｙｔｅ／Ｌａｙｅｒ）であってもディスク情報記録領域は全て２５Ｇｂｙｔｅ／Ｌａｙｅｒの記録密度でディスク情報が記録されている。
従って、ディスク情報の読み取りに失敗することはなく、すべての場合において、ディスク情報の読み取りに成功し、ステップＳ２０２に進む。
【００７４】
ステップＳ２０２では、データ記録密度＝２５Ｇｂｙｔｅ／Ｌａｙｅｒで記録されたディスク情報に従って、正常なディスク検査処理が実行される。
【００７５】
このように、ユーザデータ記録領域の記録密度に関わらず、ディスク情報記録領域を全て２５Ｇｂｙｔｅ／Ｌａｙｅｒの記録密度に設定することで、低記録密度（２５ＢＧｂｙｔｅ／Ｌａｙｅｒ）のデータ読み取りのみ可能なディスク検査装置によって、様々なディスクのディスク検査を行うことが可能となる。
【００７６】
［４．ディスク情報記録領域のデータ記録密度を低記録密度と高記録密度を混在した設定とした構成について］
ディスク情報記録領域は、先に図３を参照して説明したＰＩＣ（Ｐｅｒｍａｎｅｎｔ  Ｉｎｆｏｒｍａｔｉｏｎ  ＆  Ｃｏｎｔｒｏｌｅ  Ｄａｔａ）領域の他にさらにデータ記録可能な領域（中間領域）を含んでいる。
具体的には、例えば図８の中段の（ａ２，ａ３）のディスク構成図に示すＰＩＣの外端位置（Ｒ＝２３．２５）からユーザデータ記録領域の開始位置（Ｒ＝２４．００）までの区間である。
この区間を「中間領域」と呼ぶ。この中間領域にも様々なデータが記録可能である。
中間領域には、例えばＰＩＣに記録されるディスク情報と異なるディスク情報を記録することができる。
【００７７】
以下に説明する実施例は、先に図７、図８を参照して説明した実施例と同様、ユーザデータ記録領域の記録密度が高密度記録（３３Ｇｂｙｔｅ／Ｌａｙｅｒ）であっても低記録密度（２５Ｇｂｙｔｅ／Ｌａｙｅｒ）であっても、ＰＩＣ領域は低記録密度（２５Ｇｂｙｔｅ／Ｌａｙｅｒ）とする。
しかし、ディスク情報記録領域１１のＰＩＣ領域以外の記録領域である中間領域に、高記録密度（３３Ｇｂｙｔｅ／Ｌａｙｅｒ）型の記録領域を設定する。
すなわち、ディスク情報記録領域１１を低記録密度（２５Ｇｂｙｔｅ／Ｌａｙｅｒ）と高記録密度（３３Ｇｂｙｔｅ／Ｌａｙｅｒ）の混在型とした例である。
【００７８】
図１０、図１１を参照してこの混在型の実施例について説明する。
図１０は、本実施例に係るディスク（ＢＤ：Ｂｌｕ−ｒａｙ（登録商標）  Ｄｉｓｃ）の仕様を説明する図である。
図１０に示すように、本実施例のＢＤは、先に説明した実施例（図７）と同様、図２を参照して説明したタイプ１（低記録密度型）とタイプ２（高記録密度型）の双方を含む設定であり、再生専用のＢＤ−ＲＯＭである。
【００７９】
ディスク態様と記録容量、およびユーザデータ領域の記録密度の設定としては、図に示すように以下の各種類がある。
（ｂ１）２層（ＤＬ：Ｄｏｕｂｌｅ  Ｌａｙｅｒ）構成で、記録容量＝約５０Ｇｂｙｔｅ以下、ユーザデータの記録密度＝２５Ｇｂｙｔｅ／Ｌａｙｅｒ（低記録密度）
（ｂ２）２層（ＤＬ：Ｄｏｕｂｌｅ  Ｌａｙｅｒ）構成で、記録容量＝約６６Ｇｂｙｔｅ以下、ユーザデータの記録密度＝３３Ｇｂｙｔｅ／Ｌａｙｅｒ（高記録密度）
（ｂ３）３層（ＴＬ：Ｔｒｉｐｌｅ  Ｌａｙｅｒ）構成で、記録容量＝約１００Ｇｂｙｔｅ以下、ユーザデータの記録密度＝３３Ｇｂｙｔｅ／Ｌａｙｅｒ（高記録密度）
【００８０】
これらの各種の構成を持つディスクにおいて、ディスク情報（ＰＩＣ）記録領域の記録構成と記録密度は統一する。すなわち、以下の設定とする。
ディスク情報記録領域（ＰＩＣと中間領域）の記録方式＝エンボスピット（Ｅｍｂｏｓｓｅｄ  ｐｉｔ）型、
ディスク情報記録領域（ＰＩＣと中間領域）の記録密度＝２５Ｇｂｙｔｅ／Ｌａｙｅｒ（低記録密度）と３３Ｇｂｙｔｅ／Ｌａｙｅｒ（高記録密度）の混在型、
上記のように統一した設定とする。
【００８１】
このディスクの具体的構成例について図１１を参照して説明する。
図１１には、先に図８を参照して説明したと同様、ディスクの各データ記録領域と、各領域の記録密度の設定を説明する図である。
上段にディスクの全体構成を示している。
中段に、図１０の（ｂ２），（ｂ３）に示すディスク、すなわちユーザデータ領域の記録密度を高記録密度（３３Ｇｂｙｔｅ／Ｌａｙｅｒ）としたディスク（ＢＤ）１０の半径方向の記録データ構成を示している。ディスク半径方向に示す数値２２．５１〜５８．００は、ディスク内終端からの距離（ｍｍ）を示している。
最下段に、図１０の（ｂ１）に示すディスク、すなわちユーザデータ領域の記録密度を低記録密度（２５Ｇｂｙｔｅ／Ｌａｙｅｒ）としたディスク（ＢＤ）１０の半径方向の記録データ構成を示している。
【００８２】
中段に示す（ｂ２），（ｂ３）の高記録密度（３３Ｇｂｙｔｅ／Ｌａｙｅｒ）ディスクにおいて、ユーザデータ記録領域１２は、ディスクの内周端から２４．００ｍｍ〜５８．００ｍｍの区間に設定され、この区間にユーザデータ（再生対象コンテンツ）が３３Ｇｂｙｔｅ／Ｌａｙｅｒの記録密度で記録される。
先に図５を参照して説明したユーザデータ記録領域の構成と同様、低記録密度型（２５Ｇｂｙｔｅ／Ｌａｙｅｒ）のディスクのユーザデータ記録領域（Ｒ＝２４．００〜５８．００）に記録されるデータ（２５Ｇｂｙｔｅ）と同じ容量のデータは、高記録密度型（３３Ｇｂｙｔｅ／Ｌａｙｅｒ）のディスクのユーザデータ記録領域の一部（Ｒ＝２４．００〜５１．８８）に記録可能であり、残りのユーザデータ記録領域（Ｒ＝５１．８８〜５８．００）に新たな８Ｇｂｙｔｅのデータが記録可能となる。
【００８３】
一方、ディスク情報記録領域１１は、ＰＩＣ領域と中間領域を構成要素とする。
ディスク情報記録領域１１のＰＩＣ領域は、ディスクの内周端から２２．５１ｍｍ〜２３．２５ｍｍの区間に設定され、この区間に、低記録密度（２５Ｇｂｙｔｅ／Ｌａｙｅｒ）でディスク情報（ＰＩＣ情報）が記録される。
さらに、中間領域は、ディスクの内周端から２３．２５ｍｍ〜２４．００ｍｍの区間に設定され、この区間に、高記録密度（３３Ｇｂｙｔｅ／Ｌａｙｅｒ）でＰＩＣ領域に記録されたディスク情報以外の各種情報が記録される。
【００８４】
すなわち、ユーザデータ記録領域は高記録密度（３３Ｇｂｙｔｅ／Ｌａｙｅｒ）で記録し、ディスク情報記録領域のＰＩＣ領域は、低記録密度（２５Ｇｂｙｔｅ／Ｌａｙｅｒ）で記録する。
しかし、ディスク情報記録領域のＰＩＣ領域以外の中間領域は、高記録密度（３３Ｇｂｙｔｅ／Ｌａｙｅｒ）で様々な情報を記録する。
このような設定とすることで、中間領域に記録するデータ量を増加させることが可能となる。図に示す「０．０２Ｇ」は、中間領域を２５Ｇｂｙｔｅ／Ｌａｙｅｒから３３Ｇｂｙｔｅ／Ｌａｙｅｒに変更することで新たに発生する記録データ量を示している。
【００８５】
下段に示す（ｂ１）の低記録密度（２５Ｇｂｙｔｅ／Ｌａｙｅｒ）ディスクにおいて、ユーザデータ記録領域１２は、ディスクの内周端から２４．００ｍｍ〜５８．００ｍｍの区間に設定され、この区間にユーザデータ（再生対象コンテンツ）が２５Ｇｂｙｔｅ／Ｌａｙｅｒの記録密度で記録される。
ディスク情報記録領域１１のＰＩＣ領域は、ディスクの内周端から２２．５１ｍｍ〜２３．２５ｍｍの区間に設定され、この区間に、低記録密度（２５Ｇｂｙｔｅ／Ｌａｙｅｒ）でディスク情報（ＰＩＣ情報）が記録される。
さらに、ディスク情報記録領域１１の中間領域は、ディスクの内周端から２３．２５ｍｍ〜２４．００ｍｍの区間に設定され、この区間に、低記録密度（２５Ｇｂｙｔｅ／Ｌａｙｅｒ）でディスク情報（ＰＩＣ情報）が記録される。
この記録形態は、先に図４を参照して説明したタイプ１の低記録密度型（２５Ｇｂｙｔｅ／Ｌａｙｅｒ）のディスク構成と同じである。
ユーザデータ記録領域が低記録密度（２５Ｇｂｙｔｅ／Ｌａｙｅｒ）の設定である場合は、ＰＩＣ，中間領域からなるディスク情報記録領域もすべて２５Ｇｂｙｔｅ／Ｌａｙｅｒの低記録密度で記録する。
【００８６】
このように、図１０、図１１を参照して説明した構成では、ユーザデータ記録領域１２が、高密度記録（３３Ｇｂｙｔｅ／Ｌａｙｅｒ）である場合、ディスク情報記録領域１１のＰＩＣ領域は低記録密度（２５Ｇｂｙｔｅ／Ｌａｙｅｒ）で記録するが、ＰＩＣ］領域以外のディスク情報記録領域である中間領域はユーザデータ記録領域と同様、高密度記録（３３Ｇｂｙｔｅ／Ｌａｙｅｒ）で情報記録を行う。
このような設定とすることで、中間領域に記録可能なデータ量を増加させることが可能となる。
なお、本実施例においても、ＰＩＣ領域は低記録密度（２５Ｇｂｙｔｅ／Ｌａｙｅｒ）で統一されて記録されているので、例えば先に図９に示すフローチャートを参照して説明したように、ＰＩＣ領域の読み取りによるディスク検査は、２５Ｇｂｙｔｅ／Ｌａｙｅｒのデータ読み取りのみ実行可能なディスク検査装置において問題なく実施することができる。
【００８７】
［５．ディスク情報を適用した再生装置における処理例について］
先に、図３を参照して説明したようにディスク情報記録領域のＰＩＣ領域には様々なディスク情報が記録される。すなわち、以下のような情報である。
（１）ディスク情報ＩＤ（Ｄｉｓｃ  Ｉｎｆｏｒｍａｔｉｏｎ  ｉｄｅｎｔｉｆｉｅｒ）
（２）ディスクタイプ情報（Ｄｉｓｃ  ｔｙｐｅ  ｉｄｅｎｔｉｆｉｅｒ）
（３）ディスクサイズ情報（Ｄｉｓｃ  ｓｉｚｅ／ｃｌａｓｓ．ｖｅｒｓｉｏｎ）
（４）ディスク構成情報（Ｄｉｓｃ  ｓｔｒｕｃｔｕｒｅ）
（５）ユーザデータ記録領域情報（Ｄａｔａ  ｚｏｎｅ  ａｌｌｏｃａｔｉｏｎ）
【００８８】
これらの情報は、ディスク製造時に、ディスクの検査の実行時に事前に読み取られ、検査項目や検査アルゴリズム等を決定するために利用される。
また、例えば再生装置において、ディスクのユーザデータ記録領域にコンテンツを再生する前に読み取り、再生制御のために利用することができる。
【００８９】
このＰＩＣ領域は、先に説明したように低記録密度（２５Ｇｂｙｔｅ／Ｌａｙｅｒ）で記録する。さらに、このＰＩＣ領域にユーザデータ記録領域のデータ記録密度情報を記録する。
すなわち、図１２に示すような設定である。
図１２は、ディスク情報記録領域に設定されるＰＩＣ領域の記録データ例を示している。
再下段のエントリに記録されたデータが、ユーザデータ領域記録密度情報（Ｄａｔａ  ｚｏｎｅ  ｂｉｔ  ｄｅｎｓｉｔｙ）である。この記録領域に、例えば、以下のような記録情報を設定する。
Ｄａｔａ  ｚｏｎｅ  ｂｉｔ  ｄｅｎｓｉｔｙ＝３３Ｇｂｙｔｅ／Ｌａｙｅｒ
または、
Ｄａｔａ  ｚｏｎｅ  ｂｉｔ  ｄｅｎｓｉｔｙ＝２５Ｇｂｙｔｅ／Ｌａｙｅｒ
このいずれかのデータを記録する。
【００９０】
すなわち、ユーザデータ記録領域が高密度記録（３３Ｇｂｙｔｅ／Ｌａｙｅｒ）で記録されたデータであるか、低記録密度（２５Ｇｂｙｔｅ／Ｌａｙｅｒ）で記録されたデータであるかの識別情報を記録する。
【００９１】
再生装置は、このディスク情報を読み出して、再生処理制御を実行する。
例えば、再生装置が、再生装置に装着したディスクから、まず、ディスク情報を読み取り、装着したディスクのユーザデータ記録領域が高密度記録（３３Ｇｂｙｔｅ／Ｌａｙｅｒ）で記録されたデータであるか低記録密度（２５Ｇｂｙｔｅ／Ｌａｙｅｒ）で記録したデータであるかを判別する。
【００９２】
なお、低記録密度（２５Ｇｂｙｔｅ／Ｌａｙｅｒ）のデータ読み取りしかできない装置であっても、ディスク情報は低記録密度（２５Ｇｂｙｔｅ／Ｌａｙｅｒ）で記録されているので、このユーザデータ領域記録密度情報（Ｄａｔａ  ｚｏｎｅ  ｂｉｔ  ｄｅｎｓｉｔｙ）を読み取ることが可能である。
また、高記録密度（３３Ｇｂｙｔｅ／Ｌａｙｅｒ）のデータ読み取りが可能な装置は、低記録密度（２５Ｇｂｙｔｅ／Ｌａｙｅｒ）のデータ読み取りも実行可能である。
従って、すべての再生装置が、ディスク情報記録領域のＰＩＣ領域に記録されたユーザデータ領域記録密度情報（Ｄａｔａ  ｚｏｎｅ  ｂｉｔ  ｄｅｎｓｉｔｙ）を読み取ることが可能となる。
【００９３】
このディスク情報の読み取りによって、ユーザデータ記録領域が高密度記録（３３Ｇｂｙｔｅ／Ｌａｙｅｒ）で記録されたデータであることが確認された場合、各再生装置は以下のような再生制御を行うことが可能となる。
（ａ）再生装置が低記録密度（２５Ｇｂｙｔｅ／Ｌａｙｅｒ）データ専用の再生装置である場合、
この場合、ユーザデータ記録領域に記録された高密度記録（３３Ｇｂｙｔｅ／Ｌａｙｅｒ）のデータの再生は実行できないので、再生できないことをユーザに通知するメッセージを出力する。
（ｂ）再生装置が高記録密度（３３Ｇｂｙｔｅ／Ｌａｙｅｒ）データ再生可能な再生装置である場合、
この場合、ユーザデータ記録領域に記録された高密度記録（３３Ｇｂｙｔｅ／Ｌａｙｅｒ）のデータの再生は実行可能であり、再生処理に移行する。
【００９４】
例えば、上記のような処理が可能となる。
このような制御を行うことにより、低記録密度（２５Ｇｂｙｔｅ／Ｌａｙｅｒ）専用の再生装置を利用しているユーザは、メッセージにより、再生できない理由を把握することが可能となり、プレーヤの故障を疑うといった誤解を防止できる。
【００９５】
上述したディスク情報を利用して再生装置が実行する再生制御シーケンスについて、図１３に示すフローチャートを参照して説明する。
図１３に示すフローは、再生装置のデータ処理部、例えばプログラム実行機能を有するＣＰＵ等を備えたデータ処理部が、メモリに格納された再生制御プログラムに従って実行する。
各処理ステップの処理について、順次、説明する。
【００９６】
（ステップＳ３０１）
まず、再生装置のデータ処理部は、装着したディスクのディスク情報記録領域に記録されたディスク情報を読み取る。
ディスク情報記録領域に記録されたディスク情報は、記録密度＝２５Ｇｂｙｔｅ／Ｌａｙｅｒ（低記録密度）で記録され、低記録密度（２５Ｇｂｙｔｅ／Ｌａｙｅｒ）のデータ読み取りアルゴリズムに従ってデータ読み取りを行う。
【００９７】
（ステップＳ３０２）
次に、再生装置のデータ処理部は、読み取ったディスク情報の解析を行い、ユーザデータ記録領域（Ｄａｔａ  Ｚｏｎｅ）の記録密度情報を取得する。
すなわち、図１２を参照して説明したＰＩＣ領域に記録されたユーザデータ領域記録密度情報（Ｄａｔａ  Ｚｏｎｅ  ｂｉｔ  ｄｅｎｓｉｔｙ）を取得する。
【００９８】
（ステップＳ３０３）
次に、再生装置のデータ処理部は、読み取ったユーザデータ領域記録密度情報（Ｄａｔａ  Ｚｏｎｅ  ｂｉｔ  ｄｅｎｓｉｔｙ）に基づいて、ユーザデータ記録領域のデータ記録密度が高記録密度（３３Ｇｂｙｔｅ／Ｌａｙｅｒ）であるか、低記録密度（２５Ｇｂｙｔｅ／Ｌａｙｅｒ）であるかを判定する。
低記録密度（２５Ｇｂｙｔｅ／Ｌａｙｅｒ）であることが確認された場合は、ステップＳ３０４に進む。
一方、高記録密度（３３Ｇｂｙｔｅ／Ｌａｙｅｒ）であることが確認された場合は、ステップＳ３０５に進む。
【００９９】
（ステップＳ３０４）
ステップＳ３０３において、ディスクのディスク情報記録領域から読み取った記録密度情報に基づいて、ユーザデータ記録領域のデータ記録密度が低記録密度（２５Ｇｂｙｔｅ／Ｌａｙｅｒ）であると判定した場合、ステップＳ３０４において、ユーザデータ記録領域の記録データを低記録密度（２５Ｇｂｙｔｅ／Ｌａｙｅｒ）対応のデータ再生アルゴリズムを実行して再生処理を行なう。
なお、低記録密度（２５Ｇｂｙｔｅ／Ｌａｙｅｒ）のデータ再生は、低記録密度データ専用の再生装置でも、高密度記録データの再生可能な装置のいずれでも再生可能である。従って、ユーザデータ記録領域のデータが低記録密度（２５Ｇｂｙｔｅ／Ｌａｙｅｒ）のデータである場合、すべての再生装置において再生が可能となる。
【０１００】
（ステップＳ３０５）
一方、ステップＳ３０３において、ディスクのディスク情報記録領域から読み取った記録密度情報に基づいて、ユーザデータ記録領域のデータ記録密度が高記録密度（３３Ｇｂｙｔｅ／Ｌａｙｅｒ）であると判定した場合、ステップＳ３０５において、自装置が、高記録密度（３３Ｇｂｙｔｅ／Ｌａｙｅｒ）データの再生が可能であるか否かを判定する。
【０１０１】
自装置が、高記録密度（３３Ｇｂｙｔｅ／Ｌａｙｅｒ）データの再生が可能である場合は、ステップＳ３０５の判定はＹｅｓとなり、ステップＳ３０６に進む。
一方、自装置が、低記録密度（２５Ｇｂｙｔｅ／Ｌａｙｅｒ）データ専用の再生装置であり、高記録密度（３３Ｇｂｙｔｅ／Ｌａｙｅｒ）データの再生ができない装置である場合は、ステップＳ３０５の判定はＮｏとなり、ステップＳ３０７に進む。
【０１０２】
（ステップＳ３０６）
ステップＳ３０５において、自装置が、高記録密度（３３Ｇｂｙｔｅ／Ｌａｙｅｒ）データの再生が可能であると判定した場合は、ステップＳ３０６に進み、ユーザデータ記録り領域に記録された高記録密度（３３Ｇｂｙｔｅ／Ｌａｙｅｒ）のデータを読み取り、再生処理を実行する。
【０１０３】
（ステップＳ３０７）
一方、ステップＳ３０５において、自装置が、低記録密度（２５Ｇｂｙｔｅ／Ｌａｙｅｒ）データ専用の再生装置であり、高記録密度（３３Ｇｂｙｔｅ／Ｌａｙｅｒ）データの再生ができない装置である場合は、ステップＳ３０７に進み、データ再生不可を示すメッセージを例えば再生装置に接続されたディスプレイに出力する。
なお、この場合、ユーザデータ記録領域に記録されたデータが高密度記録（３３Ｇｂｙｔｅ／Ｌａｙｅｒ）であり、再生装置が高記録密度データに非対応であることを説明するメッセージとすることが好ましい。
【０１０４】
このような処理を実行することで、低記録密度専用の再生装置であっても、再生不可の理由をユーザに把握させることが可能となり、再生装置の故障であるかのような誤解を発生させることのない対処が可能となる。
【０１０５】
［６．記録再生処理を実行する装置のハードウェア構成例について］
次に、ディスクに対するデータ記録、あるいはディスクからのデータ再生を実行する情報処理装置のハードウェア構成例について説明する。
【０１０６】
図１４にデータ記録再生を実行する情報処理装置の一構成例を示す。
図１４に示す情報処理装置の各構成要素は、上述した実施例に従った処理を実行するデータ処理部として機能する。
ディスク１００は、図示しないターンテーブルに積載され、記録／再生動作時においてスピンドルモータ１０２によって一定線速度（ＣＬＶ）で回転駆動される。
【０１０７】
記録時には光学ピックアップ１０１によってトラックにメインデータが記録され、再生時には光学ピックアップによって記録されたユーザデータやアドレスの読出が行われる。
【０１０８】
ピックアップ１０１は、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタに導く光学系を有する。
【０１０９】
ピックアップ１０１の対物レンズは二軸機構によってトラッキング方向及びフォーカス方向に移動可能に保持される。
またピックアップ１０１全体はスレッド機構によりディスク半径方向に移動可能とされている。またピックアップ１０１におけるレーザダイオードはレーザドライバ１１３からのドライブ信号（ドライブ電流）によってレーザ発光駆動される。
【０１１０】
ディスク１００からの反射光情報はフォトディテクタによって検出され、受光光量に応じた電気信号とされてマトリクス回路１０４に供給される。
マトリクス回路１０４は、フォトディテクタとしての複数の受光素子からの出力電流に対応して電流電圧変換回路、マトリクス演算／増幅回路等を備え、マトリクス演算処理により必要な信号を生成する。
例えば再生データに相当する高周波信号（再生データ信号）、サーボ制御のためのフォーカスエラー信号、トラッキングエラー信号などを生成する。
【０１１１】
マトリクス回路１０４から出力される再生データ信号はＥＣＣ処理部１０５へ、フォーカスエラー信号及びトラッキングエラー信号はサーボ回路１１１へ、プッシュプル信号はウォブル回路１０８へ、それぞれ供給される。
【０１１２】
リーダ／ライタ回路１０５は、再生データ信号に対して２値化処理、ＰＬＬによる再生クロック生成処理等を行い、ピックアップ１０１により読み出されたデータを再生して、変復調回路１０６に供給する。変復調回路１０６は、再生時のデコーダとしての機能部位と、記録時のエンコーダとしての機能部位を備える。
再生時にはデコード処理として、再生クロックに基づいく復調処理を行う。
【０１１３】
またＥＣＣ処理部１０７は、記録時にエラー訂正コードを付加するＥＣＣエンコード処理と、再生時にエラー訂正を行うＥＣＣデコード処理を行う。
再生時には、変復調回路１０６で復調されたデータを内部メモリに取り込んで、エラー検出／訂正処理及びデインターリーブ等の処理を行い、再生データを得る。
ＥＣＣ処理部１０７で再生データにまでデコードされたデータは、システムコントローラ１１０の指示に基づいて、読み出され、ＡＶ（Ａｕｄｉｏ−Ｖｉｓｕａｌ）システム１２０に転送される。
またＥＣＣ処理部１０７でデコードされたアドレスはシステムコントローラ１１０に供給され、アクセス処理等に用いられる。
【０１１４】
ウォブル回路１０８は、書き込み可能なディスクに設定されたグルーブのウォブリング信号の処理回路である。マトリクス回路１０４から出力されるプッシュプル信号は、ウォブル回路１０８において復調され、アドレスに変換されてアドレスデコーダ１０９に供給される。
アドレスデコーダ１０９は、供給されるデータについてのデコードを行い、ウォブルアドレスとしてのアドレス値を得て、システムコントローラ１１０に供給する。
またアドレスデコーダ１０９はウォブル回路１０８から供給されるウォブル信号を用いたＰＬＬ処理でクロックを生成し、例えば記録時のエンコードクロックとして各部に供給する。
【０１１５】
記録時には、ＡＶシステム１２０から記録データが転送されてくるが、その記録データはＥＣＣ処理部１０７におけるメモリに送られてバッファリングされる。
この場合ＥＣＣ処理部１０７は、バファリングされた記録データのエンコード処理として、エラー訂正コード付加やインターリーブ、サブコード等の付加を行う。
またＥＣＣエンコードされたデータは、変復調回路１０６において変調が施され、リーダ／ライタ回路１０５に供給される。
記録時においてこれらのエンコード処理のための基準クロックとなるエンコードクロックは上述したようにウォブル信号から生成したクロックを用いる。
【０１１６】
エンコード処理により生成された記録データは、リーダ／ライタ回路１０５で記録補償処理として、記録層の特性、レーザ光のスポット形状、記録線速度等に対する最適記録パワーの微調整やレーザドライブパルス波形の調整などが行われた後、レーザドライブパルスとしてレーザドライバ１１３に送られる。
レーザドライバ１１３では供給されたレーザドライブパルスをピックアップ１内のレーザダイオードに与え、レーザ発光駆動を行う。これによりディスク１００に記録データに応じたマークが形成されることになる。
【０１１７】
なお、レーザドライバ１１３は、いわゆるＡＰＣ回路（Ａｕｔｏ  Ｐｏｗｅｒ  Ｃｏｎｔｒｏｌ）を備え、ピックアップ１０１内に設けられたレーザパワーのモニタ用ディテクタの出力によりレーザ出力パワーをモニタしながらレーザの出力が温度などによらず一定になるように制御する。記録時及び再生時のレーザ出力の目標値はシステムコントローラ１１０から与えられ、記録時及び再生時にはそれぞれレーザ出力レベルが、その目標値になるように制御する。
【０１１８】
サーボ回路１１１は、マトリクス回路１０４からのフォーカスエラー信号、トラッキングエラー信号から、フォーカス、トラッキング、スレッドの各種サーボドライブ信号を生成しサーボ動作を実行させる。即ちフォーカスエラー信号、トラッキングエラー信号に応じてフォーカスドライブ信号、トラッキングドライブ信号を生成し、ピックアップ１０１内の二軸機構のフォーカスコイル、トラッキングコイルを駆動することになる。これによってピックアップ１０１、マトリクス回路１０４、サーボ回路１１１、二軸機構によるトラッキングサーボループ及びフォーカスサーボループが形成される。
【０１１９】
またサーボ回路１１１は、システムコントローラ１１０からのトラックジャンプ指令に応じて、トラッキングサーボループをオフとし、ジャンプドライブ信号を出力することで、トラックジャンプ動作を実行させる。
【０１２０】
またサーボ回路１１１は、トラッキングエラー信号の低域成分として得られるスレッドエラー信号や、システムコントローラ１１０からのアクセス実行制御などに基づいてスレッドドライブ信号を生成し、ピックアップ１０１保持部を駆動することで、ピックアップ１０１の移動を行う。
【０１２１】
スピンドルサーボ回路１１２はスピンドルモータ２の制御を行う。スピンドルサーボ回路１１２は、例えばウォブル信号に対する処理で生成されるクロックを、現在のスピンドルモータ１０２の回転速度情報として得、これを所定の基準速度と比較することで、スピンドルエラー信号を生成する。
【０１２２】
またデータ再生時においては、リーダ／ライタ回路１０５内のＰＬＬによって生成される再生クロック（デコード処理の基準となるクロック）が、現在のスピンドルモータ１０２の回転速度情報となるため、これを所定の基準速度情報と比較することでスピンドルエラー信号を生成することもできる。
【０１２３】
そしてスピンドルサーボ回路１１２は、スピンドルエラー信号に応じて生成したスピンドルドライブ信号を出力し、スピンドルモータ１０２の回転を実行させる。またスピンドルサーボ回路１１２は、システムコントローラ１１０からのスピンドルキック／ブレーキ制御信号に応じてスピンドルドライブ信号を発生させ、スピンドルモータ１０２の起動、停止、加速、減速などの動作も実行させる。
【０１２４】
以上のようなサーボ系及び記録再生系の各種動作はマイクロコンピュータによって形成されたシステムコントローラ１１０により制御される。
システムコントローラ１１０は、ＡＶシステム１２０からのコマンドに応じて各種処理を実行する。
【０１２５】
例えばＡＶシステム１２０から書込命令（ライトコマンド）が出されると、システムコントローラ１１０は、まず書き込むべきアドレスにピックアップ１０１を移動させる。そしてＥＣＣ処理部１０７、変復調回路１０６により、ＡＶシステム１２０から転送されてきたデータ（例えばＭＰＥＧ２などの各種方式のビデオデータや、オーディオデータ等）について上述したようにエンコード処理を実行させる。そして上記のようにリーダ／ライタ回路１０５からのレーザドライブパルスがレーザドライバ１１３に供給されることで、記録が実行される。
【０１２６】
また例えばＡＶシステム１２０から、ディスク１００の記録データ（ＭＰＥＧ２ビデオデータ等）の転送を求めるリードコマンドが供給された場合は、まず指示されたアドレスを目的としてシーク動作制御を行う。すなわちサーボ回路１１１に指令を出し、シークコマンドにより指定されたアドレスをターゲットとするピックアップ１０１のアクセス動作を実行させる。
その後、その指示されたデータ区間のデータをＡＶシステム１２０に転送するために必要な動作制御を行う。即ちディスク１００からのデータ読出を行い、リーダ／ライタ回路１０５、変復調回路１０６、ＥＣＣ処理部１０７におけるデコード／バファリング等を実行させ、要求されたデータを転送する。
【０１２７】
なお、これらのデータ記録再生時には、システムコントローラ１１０は、ウォブル回路１０８およびアドレスデコーダ１０９によって検出されるウォブルアドレスや、ＥＣＣ処理部１０７で得られるデータ内アドレスを用いてアクセスや記録再生動作の制御を行う。
【０１２８】
ここで、ＥＣＣ処理部１０７は、記録時にはデータ内アドレスの記録のため、ＥＣＣエンコードを実行してエラー訂正コードを含むアドレス生成を行う。ＥＣＣエンコードされたデータが変復調回路１０６に供給され、変調される。さらに、ＲＷ回路１０５，レーザドライバ１１３による変調信号に基づいたレーザ発光駆動が行われ、データ記録が行われる。
【０１２９】
また再生時には、ＥＣＣ処理部１０７は、エラー訂正コードによるエラー訂正を伴う再生用アドレスの生成を行う。
ディスク１００から読み出された情報は、上記のようにマトリクス回路１０４、ＲＷ回路１０５、変復調回路１０６によって復調される。
【０１３０】
なお、この図１４の構成例は、ＡＶシステム１２０に接続されるディスクドライブ装置としたが、実施の形態のディスクドライブ装置は例えばパーソナルコンピュータ等と一体化あるいは接続した構成としてもよい。さらには他の機器に接続されない形態もあり得る。その場合は、操作部や表示部が設けられ、データ入出力インタフェース等の構成は、図１４とは異なるものとなる。つまり、ユーザの操作に応じて記録や再生が行われるとともに、各種データの入出力のための端子部が形成されればよい。
もちろん構成例としては他にも多様に考えられ、例えば記録専用装置、再生専用装置としての例も考えられる。
【０１３１】
［７．マスタリング装置の構成例について］
続いて、データ記録装置の実施の形態となるマスタリング装置の構成例について説明する。
ディスクの製造プロセスは、大別すると、いわゆる原盤工程（マスタリングプロセス）と、ディスク化工程（レプリケーションプロセス）に分けられる。原盤工程はディスク化工程で用いる金属原盤（スタンパ）を完成するまでのプロセスであり、ディスク化工程はスタンパを用いて、その複製である光ディスクを大量生産するプロセスである。
【０１３２】
具体的には、原盤工程は、研磨した硝子基板にフォトレジストを塗布し、この感光膜にレーザビームによる露光によってピットやグルーブを形成する、いわゆるカッティングを行なう。カッティングが終了すると、現像等の所定の処理を行なった後、例えば電鋳によって金属表面上への情報の転送を行ない、ディスクの複製を行なう際に必要なスタンパを作成する。
【０１３３】
次に、このスタンパを用いて例えばインジェクション法等によって、樹脂基板上に情報を転写し、その上に反射膜を生成した後、必要なディスク形態に加工する等の処理を行なって、最終製品ディスクを製造する。
【０１３４】
マスタリング装置は、例えば図１５に示すように、情報出力部１７１，アドレス生成部１７２、切換部１７３、カッティング部１７４、コントローラ１７０を備える。
図１５に示す装置の各構成要素は、上述した実施例に従ったディスク製造において各種の処理を実行するデータ処理部として機能する。
情報出力部１７１は、プリマスタリング工程で用意されたプリレコーデッド情報をて出力する。アドレス生成部１７２は、絶対アドレスとしての値を順次出力する。
【０１３５】
カッティング部１７４は、無機レジスト等が塗布された硝子基板１５１にレーザビームを照射してカッティングを行なう光学部（１８２，１８３，１８４）を備える。また硝子基板１５１を回転駆動及びスライド移送する基板制御部１８５を備える。また入力データを記録データに変換して光学部に供給する信号処理部１８１と、基板制御部１８５の位置から、カッティング位置を判別できるようにしたセンサ１８６を有する。
【０１３６】
上記光学部としては、レーザ１８２と、このレーザ１８２からの出射光を記録データに基づいて変調する変調部１８３と、変調部１８３からの変調ビームを集光して硝子基板１５１のフォトレジスト面に照射するカッティングヘッド部１８４が設けられている。
【０１３７】
また、基板制御部１８５は、硝子基板１５１を回転駆動する回転モータと、回転モータの回転速度を検出する検出部（ＦＧ）と、硝子基板１５１をその半径方向にスライドさせるためのスライドモータと、回転モータ、スライドモータの回転速度や、カッティングヘッド部１８４のトラッキング等を制御するサーボコントローラなどによって構成される。
【０１３８】
信号処理部１８１は、例えば切換部１７３を介して供給されるプリレコーデッド情報やアドレス情報に対して、例えばエラー訂正符号等を付加して入力データを形成するフォーマティング処理や、フォーマティング処理データに所定の演算処理を施して変調信号を形成する変調信号生成処理を行う。
そして変調信号に基づいて変調部１８３の光変調器及び光偏向器を駆動する駆動処理も行う。
【０１３９】
カッティング部１７４では、カッティングの際、基板制御部１８５が硝子基板１５１を一定線速度で回転駆動するとともに、硝子基板１５１を回転させたまま、所定のトラックピッチでらせん状のトラックが形成されていくようにスライドさせる。
同時に、レーザ１８２からの出射光は変調部１８３を介して、信号処理部１８１からの変調信号に基づく変調ビームとされてカッティングヘッド部１８４から硝子基板１５１のフォトレジスト面に照射されていき、その結果、フォトレジストがデータやグルーブに基づいて感光される。
【０１４０】
コントローラ１７０は、このようなカッティング部１７４のカッティング時の動作を実行制御するとともに、センサ１８６からの信号を監視しながら情報出力部１７１、アドレス生成部１７２、切換部１７３を制御する。
コントローラ１７０は、カッティング開始時には、カッティング部１７４に対してカッティングヘッド部１８４が最内周側からレーザ照射を開始するように、基板回転制御部１８５のスライド位置を初期位置とさせる。そして硝子基板１５１の回転駆動とスライド移送を開始させる。この状態で、プリレコーデッド情報発生部１７１からプリレコーデッド情報を出力させ、切換部１７３を介して信号処理部１８１に供給させる。また、レーザ１８２からのレーザ出力を開始させ、変調部１８３は信号処理部１８１からの変調信号、即ちプリレコーデッド情報のＦＭコード変調信号に基づいてレーザ光を変調させ、硝子基板１５１へのグルーブカッティングを実行させる。これにより、ディスク情報記録領域にディスク情報データのカッティングが行われていく。
【０１４１】
その後、コントローラ１７０はセンサ１８６の信号から、カッティング動作がディスク情報記録領域の終了位置まで進んだことを検出したら、切換部１７３をアドレス生成部１７２側に切り換えると共に、アドレス生成部１７２からアドレス値を順次発生させるように指示する。
これによりアドレス生成部１７２からアドレス情報が切換部１７３を介して信号処理部１８１に供給される。そして、レーザ１８２からのレーザ光は変調部１８３において信号処理部１８１からの変調信号、すなわちアドレス情報の変調信号に基づいて変調され、その変調レーザ光により硝子基板１５１へのカッティングが実行される。これにより、ユーザデータ記録領域に、所定のコンテンツデータのカッティングが行われていく。
コントローラ１７０はセンサ１８６の信号から、当該カッティング動作がリードアウトゾーンの終端に達したことを検出したら、カッティング動作を終了させる。
その後、現像、電鋳等を行ないスタンパが生成され、スタンパを用いて上述のディスクが生産される。
【０１４２】
なお、記録可能タイプのディスクのマスタリング装置は、アドレスに適用可能なウォブリンググルーブを形成するが、再生専用タイプのディスクを製造するマスタリング装置は、ウォブリンググルーブではなく、ピット列の露光を行う。その場合、アドレス情報及びユーザデータがエンコードされ、エンコードデータに応じてレーザ１８２からのレーザ光が変調されることになる。
そのようなマスタリング装置の場合は、図１５の情報出力部１７１に代えてユーザデータ出力部を設ける。そしてユーザデータ及びアドレス生成部１７２からのアドレス情報について、信号処理部１８１でＥＣＣエンコードを行う。これにより再生専用ディスク製造のための原盤のピット列露光が行われる。その後、現像、スタンパ製造、基板作成、記録層やカバー層等の層形成が行われ、ディスクが製造される。
【０１４３】
［８．データ記録再生装置、およびディスク検査装置の構成例について］
ディスクに対するデータ記録やディスクからのデータ再生処理は、ディスクドライブを備えたＰＣ等の装置においても実行できる。
また、ディスク検査処理を実行するディスク検査装置もディスクドライブを備えたＰＣ等の装置が利用可能である。
図１６を参照して、記録再生処理やディスク検査処理を行うＰＣ等の情報処理装置のハードウェア構成例について説明する。
【０１４４】
ＣＰＵ（Ｃｅｎｔｒａｌ  Ｐｒｏｃｅｓｓｉｎｇ  Ｕｎｉｔ）２０１は、ＲＯＭ（Ｒｅａｄ  Ｏｎｌｙ  Ｍｅｍｏｒｙ）２０２、または記憶部２０８に記憶されているプログラムに従って各種の処理を実行するデータ処理部として機能する。例えば、先に説明した実施例におけるフローに従った処理等を実行する。
ＲＡＭ（Ｒａｎｄｏｍ  Ａｃｃｅｓｓ  Ｍｅｍｏｒｙ）２０３には、ＣＰＵ２０１が実行するプログラムやデータなどが適宜記憶される。これらのＣＰＵ２０１、ＲＯＭ２０２、およびＲＡＭ２０３は、バス２０４により相互に接続されている。
【０１４５】
ＣＰＵ２０１はバス２０４を介して入出力インタフェース２０５に接続され、入出力インタフェース２０５には、各種スイッチ、キーボード、マウス、マイクロホンなどよりなる入力部２０６、ディスプレイ、スピーカなどよりなる出力部２０７が接続されている。ＣＰＵ２０１は、入力部２０６から入力される指令に対応して各種の処理を実行し、処理結果を例えば出力部２０７に出力する。
【０１４６】
入出力インタフェース２０５に接続されている記憶部２０８は、例えばハードディスク等からなり、ＣＰＵ２０１が実行するプログラムや各種のデータを記憶する。通信部２０９は、インターネットやローカルエリアネットワークなどのネットワークを介して外部の装置と通信する。
【０１４７】
入出力インタフェース２０５に接続されているドライブ２１０は、データ記録または再生対象、または検査対象となる光ディスクであるリムーバブルメディア２１１を駆動し、データの記録、再生を実行する。この記録再生処理や検査処理はデータ処理部として機能するＣＰＵ２０１によって実行される記録再生プログラムに従って行われる。
【０１４８】
［９．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０１４９】
なお、本明細書において開示した技術は、以下のような構成をとることができる。
（１）  ディスクに記録されたディスク情報を読み取り、ディスク情報に基づくディスク検査を実行するデータ処理部を有し、
前記データ処理部は、
前記ディスクのユーザデータ領域に記録されたデータの記録密度に依存することなく一律のデータ記録密度対応のデータ読み取りアルゴリズムに従って前記ディスク情報を読み取るディスク検査装置。
【０１５０】
（２）前記ディスクは、ユーザデータ記録領域の記録密度が低記録密度のタイプ１型ディスクと、ユーザデータ記録領域の記録密度が高記録密度のタイプ２型ディスクのいずれかであり、前記タイプ１型ディスクと前記タイプ２型ディスクのいずれもディスク情報記録領域には低記録密度のディスク情報が記録された構成であり、前記データ処理部は、前記タイプ１型ディスクと前記タイプ２型ディスクのいずれに対しても、一律の低記録密度対応のデータ読み取りアルゴリズムに従って前記ディスク情報を読み取る前記（１）に記載のディスク検査装置。
【０１５１】
（３）前記タイプ１型ディスクは、ユーザデータ記録領域の記録密度が約２５Ｇｂｙｔｅ／Ｌａｙｅｒであり、前記タイプ２型ディスクは、ユーザデータ記録領域の記録密度が約３３Ｇｂｙｔｅ／Ｌａｙｅｒである前記（２）に記載のディスク検査装置。
【０１５２】
（４）  ユーザデータ記録領域と、ディスク情報記録領域を有するディスク型の情報記録媒体であり、
前記ディスク情報記録領域には、前記ユーザデータ記録領域の記録密度より低い記録密度のディスク情報が記録された構成を有する情報記録媒体。
【０１５３】
（５）前記ユーザデータ記録領域の記録密度は、約３３Ｇｂｙｔｅ／Ｌａｙｅｒであり、前記ディスク情報記録領域には、約２５Ｇｂｙｔｅ／Ｌａｙｅｒの記録密度のディスク情報を記録した構成を有する前記（４）に記載の情報記録媒体。
【０１５４】
（６）前記ユーザデータ記録領域の記録密度は、約３３Ｇｂｙｔｅ／Ｌａｙｅｒであり、前記ディスク情報記録領域には、約２５Ｇｂｙｔｅ／Ｌａｙｅｒの記録密度のディスク情報と、約３３Ｇｂｙｔｅ／Ｌａｙｅｒの記録密度のディスク情報とを混在して記録した構成を有する前記（４）に記載の情報記録媒体。
【０１５５】
（７）前記ディスク情報記録領域には、ユーザデータ記録領域の記録密度情報が記録され、ディスク再生装置において、ユーザデータ記録領域の記録密度に従った再生制御を可能とした前記（４）〜（６）いずれかに記載の情報記録媒体。
【０１５６】
（８）ディスク製造処理を実行する情報記録媒体製造装置であり、
ユーザデータ記録領域と、ディスク情報記録領域を設定したディスクの製造処理において、
前記ディスク情報記録領域に、前記ユーザデータ記録領域の記録密度より低い記録密度のディスク情報を記録したディスクを製造する情報記録媒体製造装置。
【０１５７】
（９）前記ユーザデータ記録領域の記録密度は、約３３Ｇｂｙｔｅ／Ｌａｙｅｒであり、前記ディスク情報記録領域には、約２５Ｇｂｙｔｅ／Ｌａｙｅｒの記録密度のディスク情報を記録したディスクを製造する前記（８）に記載の情報記録媒体製造装置。
【０１５８】
（１０）前記ユーザデータ記録領域の記録密度は、約３３Ｇｂｙｔｅ／Ｌａｙｅｒであり、前記ディスク情報記録領域には、約２５Ｇｂｙｔｅ／Ｌａｙｅｒの記録密度のディスク情報と、約３３Ｇｂｙｔｅ／Ｌａｙｅｒの記録密度のディスク情報とを混在して記録したディスクを製造する前記（８）に記載の情報記録媒体製造装置。
【０１５９】
（１１）前記情報記録媒体製造装置は、前記ディスク情報記録領域に、ユーザデータ記録領域の記録密度情報を記録し、ディスク再生装置において、ユーザデータ記録領域の記録密度に従った再生制御を可能としたたディスクを製造する前記（８）〜（１０）いずれかに記載の情報記録媒体製造装置。
【０１６０】
（１２）ディスクからのデータ再生を実行するデータ処理部を有し、
前記データ処理部は、
再生対象コンテンツの記録領域であるユーザデータ記録領域の記録密度より低い低記録密度で記録されたディスク情報を読み取り、
前記ディスク情報からユーザデータ記録密度情報を取得して、取得したユーザデータ記録密度情報に従った再生制御を実行する再生装置。
【０１６１】
（１３）前記データ処理部は、前記ユーザデータ記録密度情報に従って前記ユーザデータ記録領域が低記録密度であることを確認した場合は、前記ユーザデータ記録領域の記録データの再生処理を実行し、前記ユーザデータ記録密度情報に従って前記ユーザデータ記録領域が高記録密度であることを確認した場合は、さらに自装置が高記録密度データを再生可であるか再生不可であるかを判定し、判定結果に応じて前記ユーザデータ記録領域の記録データの再生実行または再生中止のいずれかの処理を行なう前記（１２）に記載の再生装置。
【０１６２】
（１４）前記データ処理部は、前記ユーザデータ記録密度情報に従って、前記ユーザデータ記録領域が高記録密度であることを確認した場合において、自装置が高記録密度データを再生可であると判定した場合は、前記ユーザデータ記録領域の高記録密度データの再生を実行し、自装置が高記録密度データを再生不可であると判定した場合は、前記ユーザデータ記録領域の高記録密度データの再生を中止し、再生不可であることを示すメッセージを出力する前記（１２）または（１３）に記載の再生装置。
【０１６３】
（１５）  ディスク検査装置において実行する情報処理方法であり、
データ処理部が、ディスクに記録されたディスク情報を読み取り、ディスク情報に基づくディスク検査を実行するデータ処理ステップを実行し、
前記データ処理ステップにおいて、
前記ディスクのユーザデータ領域に記録されたデータの記録密度に依存することなく一律のデータ記録密度対応のデータ読み取りアルゴリズムに従って前記ディスク情報を読み取るステップを実行する情報処理方法。
【０１６４】
（１６）  ディスクからのデータ再生を実行する再生装置において実行する情報処理方法であり、
データ処理部が、再生対象コンテンツの記録領域であるユーザデータ記録領域の記録密度より低い低記録密度で記録されたディスク情報を読み取り、
前記ディスク情報からユーザデータ記録密度情報を取得して、取得したユーザデータ記録密度情報に従った再生制御を実行する情報処理方法。
【０１６５】
（１７）  ディスク検査装置において情報処理を実行させるプログラムであり、
データ処理部に、ディスクに記録されたディスク情報を読み取り、ディスク情報に基づくディスク検査を実行するデータ処理ステップを実行させ、
前記データ処理ステップにおいて、
前記ディスクのユーザデータ領域に記録されたデータの記録密度に依存することなく一律のデータ記録密度対応のデータ読み取りアルゴリズムに従って前記ディスク情報を読み取るステップを実行させるプログラム。
【０１６６】
（１８）  ディスクからのデータ再生を実行する再生装置において情報処理を実行させるプログラムであり、
データ処理部に、再生対象コンテンツの記録領域であるユーザデータ記録領域の記録密度より低い低記録密度で記録されたディスク情報を読み取るステップと、
前記ディスク情報からユーザデータ記録密度情報を取得して、取得したユーザデータ記録密度情報に従った再生制御を実行するステップを実行させるプログラム。
【０１６７】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０１６８】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１６９】
以上、説明したように、本開示の一実施例の構成によれば、ユーザデータ領域のデータ記録密度の差異に関わらず同一のデータ読み取りアルゴリズムに従ったディスク情報読み取りを可能とする。
具体的には、例えば、ディスク情報記録領域のデータ記録密度をユーザデータ領域の記録密度に関わらず一律の低記録密度に設定とする。ディスク情報記録領域にはディスク検査処理に必要となる情報が記録される。ユーザデータ記録領域には、高記録密度（３３Ｇｂｙｔｅ／Ｌａｙｅｒ）または低記録密度（２５Ｇ／Ｌ）のデータが記録されるが、ディスク情報記録領域には低記録密度（２５Ｇ／Ｌ）のディスク情報を記録する。低記録密度（２５Ｇ／Ｌ）の記録データのみ読み取り可能なディスク検査装置でも、３３Ｇ／Ｌのユーザデータ記録ディスクのディスク検査が実行できる。
このように、ユーザデータ領域のデータ記録密度の差異に関わらず同一のデータ読み取りアルゴリズムに従ったディスク情報読み取りが可能となり、例えばディスク検査装置の汎用性が高まる。
【符号の説明】
【０１７０】
１０  ブルーレイディスク（ＢＤ）
１１  ディスク情報記録領域
１２  ユーザデータ記録領域
１００  ディスク
１０１  光学ピックアップ
１０２  スピンドルモータ
１０４  マトリクス回路
１０５  リーダ／ライタ回路
１０６  変復調回路
１０７  ＥＣＣ処理部
１０８  ウォブル回路
１０９  アドレスデコーダ
１１０  システムコントローラ
１１１  サーボ回路
１１２  スピンドルサーボ回路
１１３  レーザドライバ
１２０  ＡＶシステム
１５１  硝子基板
１７０  コントローラ
１７１  情報出力部
１７２  アドレス生成部
１７３  切換部
１７４  カッティング部
１８１  信号処理部
１８２  レーザ
１８３  変調部
１８４  カッティングヘッド部
１８５  基板制御部
２０１  ＣＰＵ
２０２  ＲＯＭ
２０３  ＲＡＭ
２０４  バス
２０５  入出力インタフェース
２０６  入力部
２０７  出力部
２０８  記憶部
２０９  通信部
２１０  ドライブ
２１１  リムーバブルメディア
【図１】
2015076114.tif 000003
【図２】
2015076114.tif 000004
【図３】
2015076114.tif 000005
【図４】
2015076114.tif 000006
【図５】
2015076114.tif 000007
【図６】
2015076114.tif 000008
【図７】
2015076114.tif 000009
【図８】
2015076114.tif 000010
【図９】
2015076114.tif 000011
【図１０】
2015076114.tif 000012
【図１１】
2015076114.tif 000013
【図１２】
2015076114.tif 000014
【図１３】
2015076114.tif 000015
【図１４】
2015076114.tif 000016
【図１５】
2015076114.tif 000017
【図１６】
2015076114.tif 000018
【手続補正書】
【提出日】平成25年10月22日(2013.10.22)
【手続補正１】
【補正対象書類名】明細書
【補正対象項目名】００４６
【補正方法】変更
【補正の内容】
【００４６】
まず、図４を参照して、低記録密度型（２５Ｇｂｙｔｅ／Ｌａｙｅｒ）のディスクのデータ記録構成について説明する。
上部にディスクの全体構成を示している。
下部に、低記録密度型（２５Ｇｂｙｔｅ／Ｌａｙｅｒ）のディスク（ＢＤ）１０の半径方向のデータ記録構成を示している。ディスク半径方向に示す数値２２．５１〜５８．００は、ディスク半径（ｍｍ）を示している。
【手続補正２】
【補正対象書類名】明細書
【補正対象項目名】００４７
【補正方法】変更
【補正の内容】
【００４７】
ユーザデータ記録領域１１は、ディスク半径２４．００ｍｍ〜５８．００ｍｍの区間に設定され、この区間にユーザデータ（再生対象コンテンツ）が２５Ｇｂｙｔｅ／Ｌａｙｅｒの記録密度で記録される。
ＰＩＣを構成要素とするディスク情報記録領域１１は、ディスク半径２２．５１ｍｍ〜２４．００ｍｍの区間に設定される。ＰＩＣ領域は、その一部領域、すなわち、ディスク半径２２．５１ｍｍ〜２３．２５ｍｍの区間に設定され、この区間に先に図３を参照して説明したディスク情報（ＰＩＣ情報）が２５Ｇｂｙｔｅ／Ｌａｙｅｒの記録密度で記録される。
【手続補正３】
【補正対象書類名】明細書
【補正対象項目名】００４９
【補正方法】変更
【補正の内容】
【００４９】
次に、図５を参照して、高記録密度型（３３Ｇｂｙｔｅ／Ｌａｙｅｒ）のディスクのデータ記録構成について説明する。
上部にディスクの全体構成を示している。
中段部に、高記録密度型（３３Ｇｂｙｔｅ／Ｌａｙｅｒ）のディスク（ＢＤ）１０の半径方向のデータ記録構成を示している。ディスク半径方向に示す数値２２．５１〜５８．００は、ディスク半径（ｍｍ）を示している。
図５には、さらに、図４を参照して説明した低記録密度型（２５Ｇｂｙｔｅ／Ｌａｙｅｒ）のディスクのデータ記録構成を参考データとして最下段に示している。
【手続補正４】
【補正対象書類名】明細書
【補正対象項目名】００５０
【補正方法】変更
【補正の内容】
【００５０】
ユーザデータ記録領域１１は、ディスク半径２４．００ｍｍ〜５８．００ｍｍの区間に設定され、この区間にユーザデータ（再生対象コンテンツ）が２５Ｇｂｙｔｅ／Ｌａｙｅｒの記録密度で記録される。
これは、図４を参照して説明した低記録密度型（２５Ｇｂｙｔｅ／Ｌａｙｅｒ）のディスクのデータ記録構成と同様である。
ただし、記録密度が高くなるため、記録可能なデータ量は増加する。
図に示す半径方向の区間Ｒ＝５１．８８〜５８．００は、記録密度の差異によって新たに記録可能となるデータの記録領域を示している。
【手続補正５】
【補正対象書類名】明細書
【補正対象項目名】００５２
【補正方法】変更
【補正の内容】
【００５２】
一方、ＰＩＣを構成要素とする現行のＢＤ−ＲＯＭと同じディスク情報を用いた場合には、図５（２）タイプ２−Ｘに示すようにディスク情報記録領域１１は、ディスク半径２２．５４ｍｍ〜２４．００ｍｍの区間に設定可能となる。すなわち、参考情報（１）として示す低記録密度型（２５Ｇｂｙｔｅ／Ｌａｙｅｒ）のディスクのディスク情報記録領域（Ｒ＝２２．５１〜２４．００）より狭い領域にディスク情報が記録される事になる。
これはＰＩＣに記録するデータ量が２５Ｇｂｙｔｅ／Ｌａｙｅｒ密度の設定におけるデータ量と同一であり記録密度が高まるため、記録領域が減少するためである。
なお、図５（２’）タイプ２に示すのは、高記録密度型Ｒ／ＲＥディスクの構成例である。この高記録密度型Ｒ／ＲＥディスクの情報記録領域１１は、現行のＢＤ−ＲＯＭとは異なるディスク情報フォーマットを用いて、ディスク半径２２．５１ｍｍ〜２４．００ｍｍの区間に設定可能となっている。すなわち、参考情報（１）として示す低記録密度型（２５Ｇｂｙｔｅ／Ｌａｙｅｒ）のディスクのディスク情報記録領域と同じ領域にディスク情報を記録した設定である。
【手続補正６】
【補正対象書類名】明細書
【補正対象項目名】００６４
【補正方法】変更
【補正の内容】
【００６４】
このディスクの具体的構成例について図８を参照して説明する。
図８には、先に図４、図５を参照して説明したと同様、ディスクの各データ記録領域と、各領域の記録密度の設定を説明する図である。
上段にディスクの全体構成を示している。
中段に、図７の（ａ２），（ａ３）に示すディスク、すなわちユーザデータ領域の記録密度を高記録密度（３３Ｇｂｙｔｅ／Ｌａｙｅｒ）としたディスク（ＢＤ）１０の半径方向の記録データ構成を示している。ディスク半径方向に示す数値２２．５１〜５８．００は、ディスク半径（ｍｍ）を示している。
最下段に、図７の（ａ１）に示すディスク、すなわちユーザデータ領域の記録密度を低記録密度（２５Ｇｂｙｔｅ／Ｌａｙｅｒ）としたディスク（ＢＤ）１０の半径方向の記録データ構成を示している。
【手続補正７】
【補正対象書類名】明細書
【補正対象項目名】００６５
【補正方法】変更
【補正の内容】
【００６５】
中段に示す（ａ２），（ａ３）の高記録密度（３３Ｇｂｙｔｅ／Ｌａｙｅｒ）ディスクにおいて、ユーザデータ記録領域１２は、ディスク半径２４．００ｍｍ〜５８．００ｍｍの区間に設定され、この区間にユーザデータ（再生対象コンテンツ）が３３Ｇｂｙｔｅ／Ｌａｙｅｒの記録密度で記録される。
先に図５を参照して説明したユーザデータ記録領域の構成と同様、低記録密度型（２５Ｇｂｙｔｅ／Ｌａｙｅｒ）のディスクのユーザデータ記録領域（Ｒ＝２４．００〜５８．００）に記録されるデータ（２５Ｇｂｙｔｅ）と同じ容量のデータは、高記録密度型（３３Ｇｂｙｔｅ／Ｌａｙｅｒ）のディスクのユーザデータ記録領域の一部（Ｒ＝２４．００〜５１．８８）に記録可能であり、残りのユーザデータ記録領域（Ｒ＝５１．８８〜５８．００）に新たな８Ｇｂｙｔｅのデータが記録可能となる。
【手続補正８】
【補正対象書類名】明細書
【補正対象項目名】００６６
【補正方法】変更
【補正の内容】
【００６６】
一方、ＰＩＣ領域を構成要素とするディスク情報記録領域１１は、ディスク半径２２．５１ｍｍ〜２３．２５ｍｍの区間に設定され、この区間に、低記録密度（２５Ｇｂｙｔｅ／Ｌａｙｅｒ）でディスク情報（ＰＩＣ情報）を記録する。
すなわち、ユーザデータ記録領域は高記録密度（３３Ｇｂｙｔｅ／Ｌａｙｅｒ）で記録されるがディスク情報記録領域（ＰＩＣ）は、低記録密度（２５Ｇｂｙｔｅ／Ｌａｙｅｒ）で記録する。
【手続補正９】
【補正対象書類名】明細書
【補正対象項目名】００６７
【補正方法】変更
【補正の内容】
【００６７】
また、下段に示す（ａ１）の低記録密度（２５Ｇｂｙｔｅ／Ｌａｙｅｒ）ディスクにおいて、ユーザデータ記録領域１２は、ディスク半径２４．００ｍｍ〜５８．００ｍｍの区間に設定され、この区間にユーザデータ（再生対象コンテンツ）を２５Ｇｂｙｔｅ／Ｌａｙｅｒの記録密度で記録する。
ＰＩＣを構成要素とするディスク情報記録領域１１は、ディスク半径２２．５１ｍｍ〜２３．２５ｍｍの区間に設定され、この区間に、低記録密度（２５Ｇｂｙｔｅ／Ｌａｙｅｒ）でディスク情報（ＰＩＣ情報）を記録する。
この記録形態は、先に図４を参照して説明したタイプ１の低記録密度型（２５Ｇｂｙｔｅ／Ｌａｙｅｒ）のディスク構成と同様の構成である。
【手続補正１０】
【補正対象書類名】明細書
【補正対象項目名】００８１
【補正方法】変更
【補正の内容】
【００８１】
このディスクの具体的構成例について図１１を参照して説明する。
図１１には、先に図８を参照して説明したと同様、ディスクの各データ記録領域と、各領域の記録密度の設定を説明する図である。
上段にディスクの全体構成を示している。
中段に、図１０の（ｂ２），（ｂ３）に示すディスク、すなわちユーザデータ領域の記録密度を高記録密度（３３Ｇｂｙｔｅ／Ｌａｙｅｒ）としたディスク（ＢＤ）１０の半径方向の記録データ構成を示している。ディスク半径方向に示す数値２２．５１〜５８．００は、ディスク半径（ｍｍ）を示している。
最下段に、図１０の（ｂ１）に示すディスク、すなわちユーザデータ領域の記録密度を低記録密度（２５Ｇｂｙｔｅ／Ｌａｙｅｒ）としたディスク（ＢＤ）１０の半径方向の記録データ構成を示している。
【手続補正１１】
【補正対象書類名】明細書
【補正対象項目名】００８２
【補正方法】変更
【補正の内容】
【００８２】
中段に示す（ｂ２），（ｂ３）の高記録密度（３３Ｇｂｙｔｅ／Ｌａｙｅｒ）ディスクにおいて、ユーザデータ記録領域１２は、ディスク半径２４．００ｍｍ〜５８．００ｍｍの区間に設定され、この区間にユーザデータ（再生対象コンテンツ）が３３Ｇｂｙｔｅ／Ｌａｙｅｒの記録密度で記録される。
先に図５を参照して説明したユーザデータ記録領域の構成と同様、低記録密度型（２５Ｇｂｙｔｅ／Ｌａｙｅｒ）のディスクのユーザデータ記録領域（Ｒ＝２４．００〜５８．００）に記録されるデータ（２５Ｇｂｙｔｅ）と同じ容量のデータは、高記録密度型（３３Ｇｂｙｔｅ／Ｌａｙｅｒ）のディスクのユーザデータ記録領域の一部（Ｒ＝２４．００〜５１．８８）に記録可能であり、残りのユーザデータ記録領域（Ｒ＝５１．８８〜５８．００）に新たな８Ｇｂｙｔｅのデータが記録可能となる。
【手続補正１２】
【補正対象書類名】明細書
【補正対象項目名】００８３
【補正方法】変更
【補正の内容】
【００８３】
一方、ディスク情報記録領域１１は、ＰＩＣ領域と中間領域を構成要素とする。
ディスク情報記録領域１１のＰＩＣ領域は、ディスク半径２２．５１ｍｍ〜２３．２５ｍｍの区間に設定され、この区間に、低記録密度（２５Ｇｂｙｔｅ／Ｌａｙｅｒ）でディスク情報（ＰＩＣ情報）が記録される。
さらに、中間領域は、ディスク半径２３．２５ｍｍ〜２４．００ｍｍの区間に設定され、この区間に、高記録密度（３３Ｇｂｙｔｅ／Ｌａｙｅｒ）でＰＩＣ領域に記録されたディスク情報以外の各種情報が記録される。
【手続補正１３】
【補正対象書類名】明細書
【補正対象項目名】００８５
【補正方法】変更
【補正の内容】
【００８５】
下段に示す（ｂ１）の低記録密度（２５Ｇｂｙｔｅ／Ｌａｙｅｒ）ディスクにおいて、ユーザデータ記録領域１２は、ディスク半径２４．００ｍｍ〜５８．００ｍｍの区間に設定され、この区間にユーザデータ（再生対象コンテンツ）が２５Ｇｂｙｔｅ／Ｌａｙｅｒの記録密度で記録される。
ディスク情報記録領域１１のＰＩＣ領域は、ディスク半径２２．５１ｍｍ〜２３．２５ｍｍの区間に設定され、この区間に、低記録密度（２５Ｇｂｙｔｅ／Ｌａｙｅｒ）でディスク情報（ＰＩＣ情報）が記録される。
さらに、ディスク情報記録領域１１の中間領域は、ディスク半径２３．２５ｍｍ〜２４．００ｍｍの区間に設定され、この区間に、低記録密度（２５Ｇｂｙｔｅ／Ｌａｙｅｒ）でディスク情報（ＰＩＣ情報）が記録される。
この記録形態は、先に図４を参照して説明したタイプ１の低記録密度型（２５Ｇｂｙｔｅ／Ｌａｙｅｒ）のディスク構成と同じである。
ユーザデータ記録領域が低記録密度（２５Ｇｂｙｔｅ／Ｌａｙｅｒ）の設定である場合は、ＰＩＣ，中間領域からなるディスク情報記録領域もすべて２５Ｇｂｙｔｅ／Ｌａｙｅｒの低記録密度で記録する。